(57)【要約】【課題】入賞装置と球通過ゲートとを狭いスペースに配設する。【解決手段】パチンコ機は、始動入賞装置３８と、この始動入賞装置３８へのパチンコ球の入賞を契機とする所定の開放条件の成立により開放状態になる特別入賞装置４０と、遊技領域２０ａに突出して上下方向に連通するゲート通過口が設けられ、該ゲート通過口を通過するパチンコ球の検出が始動入賞装置の開放判定の契機とされる球通過ゲート４４とを備えている。球通過ゲート４４は、特別入賞口４１の上側でかつ該特別入賞口４１における左右方向の開口範囲内にゲート通過口が位置するように配置される。【選択図】図２
2014236936.tif 000002
【特許請求の範囲】
【請求項１】
遊技球が流下する遊技領域が前面に設けられた遊技盤を備えた遊技機において、
前記遊技領域に開口する第１の入賞口への遊技球の入球が可能または容易となる開放状態と第１の入賞口への遊技球の入球が不能または困難になる閉成状態との間で開閉する第１の開閉部材を有する第１の入賞装置と、
前記遊技領域に開口する第２の入賞口への遊技球の入球が可能または容易となる開放状態と第２の入賞口への遊技球の入球が不能または困難になる閉成状態との間で開閉する第２の開閉部材を有し、前記第１の入賞口への遊技球の入賞を契機とする所定の開放条件の成立により該第２の開閉部材を開くよう構成された第２の入賞装置と、
前記遊技領域に突出して上下方向に連通する通過口が設けられ、該通過口を通過する遊技球の検出が前記第１の開閉部材の開放判定の契機とされる球通過ゲートとを備え、
前記球通過ゲートは、前記第２の入賞口の上側でかつ該第２の入賞口における左右方向の開口範囲内に前記通過口が位置するように配置され、該通過口を通過した遊技球が第２の開閉部材が開放状態にある第２の入賞口に入賞可能に構成された
ことを特徴とする遊技機。
【請求項２】
前記球通過ゲートは、前記遊技領域に突出すると共に左右に離間配置されて、間に前記通過口を画成する一対の側部ガイドと、通過する遊技球を検出する検出開口を通過口に整合させて一対の側部ガイドの間に設置される球検出手段とを備え、
少なくとも一方の側部ガイドは、上方から下方へ向かうにつれて左右幅が広くなるように外側面が斜めに形成され、前記側部ガイドにおける斜めに形成された外側面で案内した遊技球が前記第２の入賞口に入賞可能に構成された請求項１記載の遊技機。
【請求項３】
前記球通過ゲートは、前記遊技盤に貫通形成された装着口を覆うように該遊技盤の前面に取り付けられるゲート取着部の前面に前記側部ガイドが設置され、
外側面が斜めに形成された前記側部ガイドの下部に、前記ゲート取着部の後側からネジ止めして、該側部ガイドがゲート取着部に固定される請求項２記載の遊技機。
【請求項４】
前記球通過ゲートは、前記遊技盤に貫通形成された装着口を覆うように該遊技盤の前面に取り付けられるゲート取着部を介して遊技盤に設置されると共に、前記第２の入賞装置は、前記装着口を覆うように該遊技盤の前面に取り付けられる入賞装置取着部を介して遊技盤に設置され、
前記ゲート取着部は、前記入賞装置取着部より左右方向の幅が狭く形成され、
前記遊技盤における前記入賞装置取着部の上側で前記ゲート取着部の横側の領域には、前記第２の入賞口の上方でかつ前記球通過ゲートから遊技球の通過を許容する間隔をあけて遊技釘が植設された請求項１〜３の何れか一項に記載の遊技機。
【発明の詳細な説明】
【技術分野】
【０００１】
この発明は、遊技領域から遊技球が入賞可能な入賞装置を備えた入賞装置を備えた遊技機に関するものである。
【背景技術】
【０００２】
代表的な遊技機であるパチンコ機は、遊技盤の盤面に画成した遊技領域の略中央位置に枠状の装飾部材(所謂センター役物)が配設されており、この装飾部材の開口部を介して複数の図柄を変動表示する液晶式やドラム式等の図柄表示装置を後方から臨ませると共に、該遊技盤における装飾部材の下方位置に、パチンコ球(遊技球)の入賞により図柄表示装置での図柄変動を開始させる始動入賞装置や大当り時等に開放する特別入賞装置を配設するよう構成されたものが多数提案されている。このようなパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、前記図柄表示装置で図柄変動に伴うリーチ演出等の各種の遊技演出がなされ、該図柄表示装置に図柄が所定の組み合わせで停止することにより所謂大当りが発生し、遊技盤に設けられた特別入賞装置が開放して多数の賞球を獲得し得るよう構成される。
【０００３】
前記始動入賞装置として、パチンコ球が入賞する入賞口を開閉自在な開閉部材を備えるタイプを用いるパチンコ機では、前記遊技領域に位置する通過口と、該通過口を通過するパチンコ球を検出する検出スイッチとを備えた球通過ゲートが遊技盤に配設されている(例えば、特許文献１参照)。そして、このような球通過ゲートを備えたパチンコ機では、遊技領域を流下して通過口を通過したパチンコ球を検出スイッチが検出することを契機として、遊技盤に設けられた普通図柄表示装置の図柄を変動開始し、該普図柄表示装置に図柄が所定の組み合わせで停止するなどの所定の開放条件の成立に基づき、ソレノイド等の駆動手段を駆動して前記開閉部材を開閉作動するよう構成されている。
【先行技術文献】
【特許文献】
【０００４】
【特許文献１】特開２００４−２８３３５２号公報
【発明の概要】
【発明が解決しようとする課題】
【０００５】
ところで、近年では前記遊技盤に配設される図柄表示装置を大型化したり、該遊技盤に可動演出装置や発光演出装置等の各種演出装置を配設することで、遊技演出を多様化して演出効果を向上することが一般的になっており、遊技盤における遊技球が流下可能な遊技領域が狭くなる傾向にある。このため、遊技領域において、球通過ゲートを配設するスペースの確保に苦慮している。
【０００６】
すなわち本発明は、従来の技術に係る遊技機に内在する前記問題に鑑み、これらを好適に解決するべく提案されたものであって、入賞装置と球通過ゲートとを狭いスペースに配設した遊技機を提供することを目的とする。
【課題を解決するための手段】
【０００７】
前記課題を克服し、所期の目的を達成するため、本願の請求項１に係る発明の遊技機は、
遊技球(P)が流下する遊技領域(20a)が前面に設けられた遊技盤(20)を備えた遊技機において、
前記遊技領域(20a)に開口する第１の入賞口(39)への遊技球(P)の入球が可能または容易となる開放状態と第１の入賞口(39)への遊技球の入球が不能または困難になる閉成状態との間で開閉する第１の開閉部材(88)を有する第１の入賞装置(38)と、
前記遊技領域(20a)に開口する第２の入賞口(41)への遊技球(P)の入球が可能または容易となる開放状態と第２の入賞口(41)への遊技球(P)の入球が不能または困難になる閉成状態との間で開閉する第２の開閉部材(114)を有し、前記第１の入賞口(39)への遊技球(P)の入賞を契機とする所定の開放条件の成立により該第２の開閉部材(114)を開くよう構成された第２の入賞装置(40)と、
前記遊技領域(20a)に突出して上下方向に連通する通過口(140)が設けられ、該通過口(140)を通過する遊技球(P)の検出が前記第１の開閉部材(88)の開放判定の契機とされる球通過ゲート(44)とを備え、
前記球通過ゲート(44)は、前記第２の入賞口(41)の上側でかつ該第２の入賞口(41)における左右方向の開口範囲内に前記通過口(140)が位置するように配置され、該通過口(140)を通過した遊技球(P)が第２の開閉部材(114)が開放状態にある第２の入賞口(41)に入賞可能に構成されたことを要旨とする。
請求項１に係る発明によれば、球通過ゲートが、遊技球の検出して第１の入賞装置の開閉部材の開放判定の契機を得るという本来の機能と、第２の入賞装置の入賞口の上側で遊技球を導くガイドとしての機能とを有している。これにより、遊技釘等などの遊技領域で遊技球を案内する遊技部品に代えて、第２の入賞装置の入賞口の上側に球通過ゲートを配設することが可能となり、第２の入賞装置と球通過ゲートとを遊技領域における狭い範囲に配置することができる。
【０００８】
請求項２に係る発明では、前記球通過ゲート(44)は、前記遊技領域(20a)に突出すると共に左右に離間配置されて、間に前記通過口(140)を画成する一対の側部ガイド(145,145)と、通過する遊技球(P)を検出する検出開口(SGa)を通過口(140)に整合させて一対の側部ガイド(145,145)の間に設置される球検出手段(SG)とを備え、
少なくとも一方の側部ガイド(145)は、上方から下方へ向かうにつれて左右幅が広くなるように外側面が斜めに形成され、前記側部ガイド(145)における斜めに形成された外側面で案内した遊技球(P)が前記第２の入賞口(41)に入賞可能に構成されたことを要旨とする。
請求項２に係る発明によれば、球通過ゲートにおける側部ガイドの外側面で案内された遊技球が第２の入賞口に入賞可能であるから、第２の入賞口の上側に球通過ゲートを配設することにより不利益は生じない。
【０００９】
請求項３に係る発明では、前記球通過ゲート(44)は、前記遊技盤(20)に貫通形成された装着口(27b)を覆うように該遊技盤(20)の前面に取り付けられるゲート取着部(141)の前面に前記側部ガイド(145)が設置され、
外側面が斜めに形成された前記側部ガイド(145)の下部に、前記ゲート取着部(141)の後側からネジ止めして、該側部ガイド(145)がゲート取着部(141)に固定されることを要旨とする。
請求項３に係る発明によれば、球通過ゲートは、側部ゲートの幅広な部分でネジ止めしているから、しっかりと固定することができる。
【００１０】
請求項４に係る発明では、前記球通過ゲート(44)は、前記遊技盤(20)に貫通形成された装着口(27b)を覆うように該遊技盤(20)の前面に取り付けられるゲート取着部(141)を介して遊技盤(20)に設置されると共に、前記第２の入賞装置(40)は、前記装着口(27b)を覆うように該遊技盤(20)の前面に取り付けられる入賞装置取着部(110)を介して遊技盤(20)に設置され、
前記ゲート取着部(141)は、前記入賞装置取着部(110)より左右方向の幅が狭く形成され、
前記遊技盤(20)における前記入賞装置取着部(110)の上側で前記ゲート取着部(141)の横側の領域には、前記第２の入賞口(41)の上方でかつ前記球通過ゲート(44)から遊技球(P)の通過を許容する間隔をあけて遊技釘(28A)が植設されたことを要旨とする。
請求項４に係る発明によれば、第２の入賞口の上側に遊技釘を配置することができ、当該遊技釘により球通過ゲートの横側を流下する遊技球を第２の入賞口へ向けて案内可能である。
【発明の効果】
【００１１】
本発明に係る遊技機によれば、遊技領域において入賞装置と球通過ゲートとを狭いスペースで配設できる。
【図面の簡単な説明】
【００１２】
【図１】本発明の実施例に係るパチンコ機を示す正面図である。
【図２】(ａ)は実施例の遊技盤を示す正面図であり、開閉扉が閉成状態にあり、(ｂ)は(ａ)の要部拡大図であり、開閉扉が開放状態にある。
【図３】図２のＡ−Ａ線断面図であって、第２始動入賞装置の開閉部材が閉成状態にある。なお、図柄表示装置は取り外してある。
【図４】図２のＡ−Ａ線断面図であって、第２始動入賞装置の開閉部材が開放状態にある。なお、図柄表示装置は取り外してある。
【図５】図２のＢ−Ｂ線で破断した要部断面図である。なお、図柄表示装置は取り外してある。
【図６】図２のＣ−Ｃ線で破断した要部断面図である。なお、図柄表示装置は取り外してある。
【図７】実施例の遊技盤を後側から見た斜視図である。
【図８】実施例の設置部材を示す正面図である。
【図９】実施例の設置部材に設置された入賞球通路ユニットの前面を破断して、入賞球通路を示す要部断面図である。
【図１０】実施例の第２始動入賞装置および入賞球通路ユニットを前側から見た斜視図である。
【図１１】実施例の第２始動入賞装置を後側から見た斜視図である。
【図１２】実施例の第２始動入賞装置を示す平面図であって、(ａ)は開閉部材が閉成状態にあり、(ｂ)は開閉部材が開放状態にある。
【図１３】(ａ)は図１２(ａ)のＤ−Ｄ線断面図であり、(ｂ)は図１２(ｂ)のＥ−Ｅ線断面図である。
【図１４】実施例の第２始動入賞装置を前側から見た分解斜視図である。
【図１５】実施例の第２始動入賞装置を後側から見た分解斜視図である。
【図１６】実施例の第２始動入賞装置において、始動ソレノイド、始動作動手段および開閉部材の関係を示す説明図であって、(ａ)は開閉部材が閉成状態にあり、(ｂ)は開閉部材が開放状態にある。
【図１７】図１２のＦ−Ｆ線断面図である。
【図１８】実施例の特別入賞装置を前側から見た斜視図であって、(ａ)は開閉扉が閉成状態にあり、(ｂ)は開閉扉が開放状態にある。
【図１９】実施例の特別入賞装置を後側から見た斜視図である。
【図２０】(ａ)は図１８(ａ)のＧ−Ｇ線断面図であって、(ｂ)は図１８(ｂ)のＨ−Ｈ線断面図である。
【図２１】(ａ)は図２０(ａ)のＩ−Ｉ線断面図であって、(ｂ)は図２０(ｂ)のＪ−Ｊ線断面図である。
【図２２】実施例の特別入賞装置を前側から見た分解斜視図である。
【図２３】実施例の特別入賞装置を後側から見た分解斜視図である。
【図２４】実施例の特別入賞装置の特別装置本体を示す正面図であって、開閉扉は取り外してある。
【図２５】(ａ)は実施例の特別入賞装置の特別装置本体を示す斜視図であって、開閉扉が開放状態にあり、(ｂ)は(ａ)から上ケースを取り外した状態を示す。
【図２６】実施例の入賞球通路ユニットを示す平面図である。
【図２７】実施例の入賞球球通路ユニットを示す分解斜視図である。
【発明を実施するための形態】
【００１３】
次に、本発明に係る遊技機につき、好適な実施例を挙げて、添付図面を参照しながら以下詳細に説明する。なお、実施例では、遊技球としてパチンコ球を用いて遊技を行うパチンコ機を例に挙げて説明する。また、以下の説明において、「前」、「後」、「左」、「右」とは、特に断りのない限り、図１に示すようにパチンコ機１０を前側(遊技者側)から見た状態で指称する。
【実施例】
【００１４】
(パチンコ機)
図１に示すように、実施例に係るパチンコ機１０は、前後に開口する矩形枠状に形成されて遊技店の図示しない設置枠台に縦置き姿勢で設置される固定枠としての外枠１１の開口前面側に、遊技盤２０を着脱可能に保持する本体枠としての中枠１２が開閉および着脱可能に組み付けられて、該遊技盤２０の裏側に、各種図柄を変動表示可能な図柄表示装置１９(図２参照)が着脱可能に配設されている。また、中枠１２の前面側には、遊技盤２０を透視保護するガラス板や透明な合成樹脂材により形成された透視保護板(図示せず)で前後に開口する窓部１３ａを覆うよう構成された前枠１３が開閉可能に組み付けられると共に、該前枠１３の下方にパチンコ球Ｐ(図３および図４参照)を貯留する下球受け皿１５が開閉可能に組み付けられる。なお、実施例では、前枠１３の下部位置に、パチンコ球Ｐを貯留する上球受け皿１４が一体的に組み付けられており、前枠１３の開閉に合わせて上球受け皿１４も一体的に開閉するよう構成される。なお、実施例では、図柄表示装置１９として、各種図柄を表示可能な液晶パネルを収容ケースに収容した液晶表示装置が採用されるが、これに限られるものではなく、ドラム式やドットマトリックス式等の各種図柄を停止および変動表示可能な従来公知の各種の図柄表示装置１９を採用し得る。また、上球受け皿１４は、前枠１３と別体に形成してもよい。
【００１５】
前記中枠１２の右下方位置には、該中枠１２に配設された打球発射装置(図示せず)を作動する操作ハンドル１６が設けられている。操作ハンドル１６は、左回転方向に付勢されており、該操作ハンドル１６を右回転するよう遊技者が回動操作することで打球発射装置が作動されて、上球受け皿１４に貯留されたパチンコ球Ｐが遊技盤２０に向けて発射されるようになっている。ここで、操作ハンドル１６の回動量に応じて打球発射装置によるパチンコ球Ｐの打球力が強弱変化するよう構成されており、遊技者が操作ハンドル１６の回動量を操作することで、遊技盤２０に形成された第１球流下経路２１(図２参照)をパチンコ球Ｐが流下する所謂「左打ち」と、該遊技盤２０に形成された第２球流下経路２２(図２参照)をパチンコ球Ｐが流下する所謂「右打ち(ゴム打ち)」とを打ち分け得るようになっている。
【００１６】
(遊技盤)
図２および図７に示すように、前記遊技盤２０は、所定板厚の略矩形状に形成された木材板の表面に、各種絵柄等が描かれた合成樹脂シート(図示せず)等を貼付けて装飾した板部材であって、該遊技盤２０の表面(盤面)に配設された案内レール２４,２５,２６により、パチンコ球Ｐが流下可能な遊技領域２０ａが画成されている。また、遊技盤２０の裏面には、図柄表示装置１９を着脱可能に保持する設置部材３２(図８参照)が配設されている。
【００１７】
前記案内レールは、遊技盤２０の左下部から右上部に至るよう左方向に膨出する円弧状に形成された外レール２４と、該外レール２４の内側に配置されて、遊技盤２０の右上部、右下部および左上部に至るよう右方向に膨出する円弧状に形成された内レール２５,２６とから構成されている。内レールは、遊技盤２０の右上部から下部に亘って配設され、左端縁が右方に凹む円弧状に形成された盤面飾り部材２５と、遊技盤２０の下部から左上部に亘って配設されて盤面飾り部材２５の下端部に連接し、外レール２４の右方に離間して位置するレール部材２６とから構成され、該外レール２４およびレール部材２６により１個のパチンコ球Ｐが通過可能な発射通路２３が画成されている。ここで、内レールを構成するレール部材２６は、遊技盤２０の左上部に開放端を臨ませるよう構成されて、打球発射装置で発射されたパチンコ球Ｐが発射通路２３の下方開口から上昇して、レール部材２６の開放端側から遊技領域２０ａ内に打ち出されるようになっている。
【００１８】
図２に示すように、外レール２４と盤面飾り部材２５との接続位置は、該外レール２４および盤面飾り部材２５の曲率の相違から段差が形成されており、該段差部分にゴム等の弾力性を有する緩衝部材(図示せず)が配設されている。すなわち、外レール２４の終端位置に臨むように緩衝部材が配設されて、打球発射装置から発射されて外レール２４に沿って該外レール２４の終端位置まで移動したパチンコ球を緩衝部材で減勢するようになっている。なお、緩衝部材は、第２球流下経路２２に位置している。
【００１９】
図７に示すように、前記遊技盤２０には、前後に貫通する装着口２７ａ,２７ｂが遊技領域２０ａ内に複数開設されて、各装着口２７ａ,２７ｂに対して各種部品が前側から取り付けられると共に、遊技領域２０ａの最下部位置には、該遊技領域２０ａに打ち出されたパチンコ球Ｐを排出するアウト口３０が開設されている。また、遊技盤２０には、遊技領域２０ａ内に多数の遊技釘２８が植設されており、遊技領域２０ａを流下するパチンコ球が遊技釘２８に接触することでパチンコ球の流下方向を不規則に変化させるようになっている。なお、装着口２７ａ,２７ｂの形成数は、遊技盤２０に対して取り付けられる各種部品の個数や配設位置等により必要に応じて適宜決定される。
【００２０】
図７に示すように、実施例の前記遊技盤２０には、案内レール２３で囲まれた遊技領域２０ａの略中央の大部分が開口する第１装着口２７ａに、前後に開口する窓口３４ａが形成された枠状装飾体３４が取り付けられ、該枠状装飾体３４の表示窓口３４ａを介して図柄表示装置１９の表示面が遊技盤２０の前面側に臨むよう構成されている。また、遊技盤２０には、第１装着口２７ａ(枠状装飾体３４)の下から左側部に亘って下側に凸になる略円弧状に形成された第２装着口２７ｂが開設されている。第２装着口２７ｂにおける遊技盤２０の左右方向中央部に対応する部位には、遊技領域２０ａ(第１球流下経路２１)を流下するパチンコ球Ｐが入賞可能な第１始動入賞口３７を有する第１始動入賞装置３６が取り付けられている。また、第２装着口２７ｂには、第１始動入賞装置３６の右側方に、遊技領域２０ａ(第２球流下経路２２)を流下するパチンコ球Ｐが入賞可能な第２始動入賞口(第１の入賞口)３９(図１０参照)を有する第２始動入賞装置(第１の入賞装置)３８が取り付けられている。更に、第２装着口２７ｂには、第２始動入賞装置３８の右上側に、遊技領域２０ａ(第２球流下経路２２)を流下するパチンコ球Ｐが入賞可能な特別入賞口(第２の入賞口)４１を有する特別入賞装置(第２の入賞装置)４０が取り付けられている。更にまた、第２装着口２７ｂには、第１始動入賞装置３６の左側方に、遊技領域２０ａを流下するパチンコ球Ｐが入賞可能な普通入賞口４３を有する普通入賞装置４２が取り付けられている。なお、実施例では、特別入賞口４１の右上側にも普通入賞口４３が設けられている(図１８参照)。
【００２１】
(設置部材)
図５に示すように、前記設置部材３２は、前記遊技盤２０の外郭形状と略整合する大きさおよび形状に形成された略矩形状の背面板３２ａと、該背面板３２ａの外周縁部から前方に突出する画壁部３２ｂとから前方に開口した箱状に形成されて、該画壁部３２ｂの開口前端部を遊技盤２０の裏面に当接させた状態で、当該遊技盤２０と設置部材３２とがネジにより固定される。そして、設置部材３２において遊技盤２０との間に画成される空間に、可動演出装置や各種装飾部材や入賞球通路ユニット５０(図８参照)等が設置されて、設置部材３２をベースとする１つのユニットとして扱い得るようになっている。また、設置部材３２の背面板３２ａには、枠状装飾体３４の表示窓口３４ａを前後に整列する位置に、略矩形状の開口部(図示せず)が前後に開口するよう開設されると共に、該背面板３２ａの裏側に図柄表示装置１９が着脱自在に取り付けられて、該開口部を介して図柄表示装置１９の表示面が遊技盤２０の前側に臨むようになっている。
【００２２】
図８および図９に示すように、前記設置部材３２には、第１始動入賞装置３６、第２始動入賞装置３８、特別入賞装置４０および普通入賞装置４２の後方位置に、各入賞装置３６,３８,４０,４０に入賞したパチンコ球Ｐを遊技盤２０の下方から排出するように案内する入賞球通路４６,４７,４８,４９が形成されている。そして、各入賞球通路４６,４７,４８,４９を通過したパチンコ球Ｐを、中枠１２に設けられた球回収部(図示せず)を介してパチンコ機１０の外部(遊技店側の球循環設備)へ回収するようになっている。なお、第１始動入賞装置３６に入賞したパチンコ球Ｐを案内する入賞球排出通路を第１始動入賞球通路４６といい、第２始動入賞装置３８に入賞したパチンコ球Ｐを案内する入賞球排出通路を第２始動入賞球通路(入賞通過路)４７といい、特別入賞装置４０に入賞したパチンコ球Ｐを案内する入賞球排出通路を特別入賞球通路４８といい、普通入賞装置４２に入賞したパチンコ球Ｐを案内する入賞球排出通路を普通入賞球通路４９という。ここで、入賞球通路４６,４７,４８,４９は、設置部材３２に設置された入賞球通路ユニット５０に形成されている。
【００２３】
図９に示すように、前記第１始動入賞球通路４６には、パチンコ機裏側に配設された制御装置(図示せず)に電気的に接続された球検出手段としての第１始動入賞センサＳ１が配設されて、第１始動入賞口３７に入賞して第１始動入賞球通路４６を通過するパチンコ球Ｐを第１始動入賞センサＳ１で検出するよう構成されている。そして、第１始動入賞センサＳ１によるパチンコ球Ｐの検出(すなわち第１始動入賞口３７への入賞)に伴って、前記大当りを発生するか否か(特別入賞口４１を開放するか否か)を決定する大当り抽選が前記制御装置で行われるよう設定され、該大当り抽選の結果に基づいて図柄表示装置１９において図柄変動演出が行われるようになっている。また、第２始動入賞口３９に入賞したパチンコ球Ｐは、第２始動入賞球通路４７に配設された第２始動入賞センサＳ２で検出するよう構成されており、第２始動入賞センサＳ２によるパチンコ球Ｐの検出(すなわち第２始動入賞口３９への入賞)に伴って、同様に大当り抽選が前記制御装置において行われて図柄表示装置１９での図柄変動演出が行われるよう設定されている。
【００２４】
(枠状装飾体)
図２に示すように、前記遊技盤２０に配設される枠状装飾体３４は、遊技盤２０に開設された第１装着口２７ａに沿って延在する環状に形成された薄板状の固定板部３４ｂと、該固定板部３４ｂの開口内周に沿って設けられて、遊技盤２０より前方へ突出する庇状部３４ｃとを備え、遊技盤２０に固定板部３４ｂが前側からネジ止めされている。ここで、庇状部３４ｃは、枠状装飾体３４(固定板部３４ｂ)の左側縁の中間位置から上縁および右下縁に亘って連続して延在するよう設けられており、図柄表示装置１９の前面側を横切ってパチンコ球Ｐが流下(落下)するのを規制している。庇状部３４ｃは、最上部位置から左右方向に下方傾斜するよう形成されて、遊技領域２０ａに打ち出されたパチンコ球Ｐが庇状部３４ｃ上で滞ることなく枠状装飾体３４の左側方または右側方へ誘導されるよう形成されている。以下の説明では、庇状部３４ｃについて、枠状装飾体３４の最上部から左側縁に沿って下方傾斜するよう延在する部分を左傾斜庇部分と指称し、該枠状装飾体３４の最上部から右側縁に沿って下方傾斜するよう延在する部分を右傾斜庇部分と指称して便宜上区別することもある。
【００２５】
図２に示すように、前記遊技盤２０に画成された遊技領域２０ａには、枠状装飾体３４の左側方をパチンコ球Ｐが流下する第１球流下経路２１、および該枠状装飾体３４の右側方をパチンコ球Ｐが流下する第２球流下経路２２が設けられており、庇状部３４ｃ上の左傾斜庇部分に到来したパチンコ球Ｐが第１球流下経路２１を流下し、該庇状部３４ｃ上の右傾斜庇部分に到来したパチンコ球Ｐが第２球流下経路２２を流下するようになっている。換言すると、打球発射装置により遊技領域２０ａ内に発射されたパチンコ球Ｐは、到達位置に応じて枠状装飾体３４およびレール部材２６(内レール２５,２６)の間に形成される第１球流下経路２１か、あるいは枠状装飾体３４および盤面飾り部材２５(内レール２５,２６)の間に形成される第２球流下経路２２の何れかを流下する。すなわち、実施例のパチンコ機１０では、第１球流下経路２１をパチンコ球Ｐが流下する場合(左打ちした場合)に、パチンコ球Ｐが第２球流下経路２２を流下する場合に比べて第１始動入賞装置３６の第１始動入賞口３７にパチンコ球Ｐが入賞する可能性が高くなるよう構成されると共に、該第２球流下経路２２をパチンコ球Ｐが流下する場合(右打ちの場合)に、パチンコ球Ｐが第１球流下経路２１を流下する場合に比べて特別入賞装置４０の特別入賞口４１や第２始動入賞装置３８の第２始動入賞口３９へパチンコ球Ｐが入賞する可能性が高くなるよう構成されている。
【００２６】
前記第１始動入賞装置３６に設けられた第１始動入賞口３７または第２始動入賞装置３８に設けられた第２始動入賞口３９に遊技領域２０ａを流下するパチンコ球Ｐが入賞することで、図柄表示装置１９の表示面において図柄が変動表示されて図柄変動演出が展開され、該図柄変動演出の結果、図柄表示装置１９の表示面に所定の図柄組み合わせ(例えば同一図柄の３つ揃い等)で図柄が停止表示されることで所謂大当りが発生し、大当りの発生に伴って特別入賞装置４０の特別入賞口４１が開放して多数の賞球を獲得し得る機会が与えられるようになっている。ここで、第１始動入賞装置３６は、第１始動入賞口３７が遊技領域２０ａに常時開放する常時開放型の入賞装置とされ、第２始動入賞装置３８は、所定の開放条件および閉鎖条件(何れも後述)に従って第２始動入賞口３９が後述する開閉部材(第１の開閉部材)８８により開閉される開閉型の入賞装置とされている。そして、特別入賞装置４０は、開閉扉(開閉部材)により特別入賞口４１を常には閉鎖するよう構成され、大当りの発生などの所定の開放条件の成立に伴って特別入賞口４１を開放するよう構成されている。
【００２７】
実施例のパチンコ機１０では、遊技が行われる遊技状態として３つの状態が設定されている。すなわち、パチンコ機１０において通常行われる通常状態と、該通常状態に比べて大当りの発生確率が高く、かつ第２始動入賞装置３８の第２始動入賞口３９への入賞確率が高く設定された確率変動状態と、通常状態に比べて大当りの発生確率が同等で、かつ第２始動入賞装置３８の第２始動入賞口３９への入賞確率が高く設定された時間短縮状態が設定されている。そして、第１始動入賞口３７または第２始動入賞口３９へパチンコ球Ｐが入賞した際に、遊技状態を変更するか否かが前記制御装置で決定される。
【００２８】
図２に示すように、特別入賞装置４０の上方には、遊技領域２０ａ(第２球流下経路２２)を流下するパチンコ球Ｐが通過可能な球通過ゲート４４が設けられると共に、パチンコ球Ｐを検出する球検出手段としてのゲートセンサＳＧが球通過ゲート４４に配設されている。球通過ゲート４４のゲートセンサＳＧは、前記制御装置に電気的に接続されており、該ゲートセンサＳＧによるパチンコ球Ｐの検出に伴って第２始動入賞装置３８における第２始動入賞口３９を開放するか否かの始動口開放抽選が行われ、該始動口開放抽選の結果が当選の場合に、第２始動入賞口３９を開放するよう第２始動入賞装置３８の開閉部材８８が駆動制御されるようになっている。すなわち、実施例のパチンコ機１０では、ゲートセンサＳＧがパチンコ球Ｐを検出すること第２始動入賞装置３８の開閉部材８８の開放判定(始動口開放抽選)の契機となり、始動口開放抽選の結果が当選となることが、第２始動入賞装置３８の第２始動入賞口３９を開放する開放条件とされている。
【００２９】
前記第２始動入賞口３９を開放してから所定の閉鎖条件が成立することで、該第２始動入賞口３９が閉鎖されるようになっている。ここで、第２始動入賞口３９を閉鎖する閉鎖条件としては、例えば開閉部材８８が開放状態に移行してからの経過時間(第２始動入賞口３９の開放時間)や、第２始動入賞装置３８に設けられた第２始動入賞センサによる設定数のパチンコ球Ｐの検出等が挙げられるが、これに限られるものではない。
【００３０】
(特定条件について)
実施例のパチンコ機１０では、第２始動入賞装置３８の第２始動入賞口３９を開放する開放条件および該第２始動入賞口３９を閉鎖する閉鎖条件は、遊技状態に応じて設定されている。すなわち、遊技状態が前記確率変動状態および時間短縮状態の場合には、遊技状態が通常状態の場合に比べて、第２始動入賞装置３８の第２始動入賞口３９が開放され易くなるよう前記開放条件や閉鎖条件が設定されて、第２始動入賞口３９への入賞確率を高くするよう構成されている。具体的には、実施例では、遊技状態が前記確率変動状態および時間短縮状態の場合には、遊技状態が通常状態の場合に比べて、前記始動口開放抽選の結果が確定するまでの時間が短くなるよう設定されると共に、第２始動入賞口３９の１回の開放毎の開放時間を長く設定することで、確率変動状態および時間短縮状態における第２始動入賞口３９への入賞確率を高くしている。例えば、遊技状態が通常状態の場合には、始動口開放抽選の結果が確定するまでの時間が略３０秒で、かつ第２始動入賞口３９の開放時間が０．１秒／１回に設定されるのに対し、遊技状態が確率変動状態および時間短縮状態の場合には、始動口開放抽選の結果が確定するまでの時間が略２秒で、かつ第２始動入賞口３９の開放時間が２秒／１回に設定されている。
【００３１】
前記特別入賞装置４０および第２始動入賞装置３８の夫々を、遊技盤２０の右側部に配置したことで、パチンコ球Ｐが第１球流下経路２１を流下する場合に比べて、第２球流下経路２２を流下する場合の方が、各入賞装置３８,４０に入賞し易くなっている。従って、実施例のパチンコ機１０は、特定の条件が成立した場合(大当り状態、遊技状態が確率変動遊技状態または時間短縮遊技状態となった場合)に、パチンコ球Ｐを第２球流下経路２２へ打ち出す「右打ち(ゴム打ち)」を実施し、特定条件が不成立の場合には、パチンコ球Ｐを第１球流下経路２１へ打ち出す「左打ち」を実施することで、所定の遊技が行われるよう構成されている。このように、遊技者が遊技状態(特定条件の成立・不成立)に応じて前記操作ハンドル１６を操作してパチンコ球Ｐの打ち出し位置を変更するよう構成することで、遊技者に能動的な遊技参加を促し、遊技の興趣を高めるようになっている。すなわち、実施例において特定条件の成立とは、パチンコ球Ｐを第２球流下経路２２へ打ち出す「右打ち(ゴム打ち)」を実施するのに適した条件の成立をいうものである。
【００３２】
前記入賞装置３６,３８,４０,４２の入賞口３７,３９,４１,４３に入賞したパチンコ球Ｐを検出する球検出手段としてのセンサＳ１,Ｓ２,ＳＴ,ＳＦ,ＳＧは、略矩形状の板状本体と、この板状本体の長手方向一側部に偏倚した位置に板厚方向に貫通形成された検出開口Ｓ１ａ,Ｓ２ａ,ＳＴａ,ＳＦａ,ＳＧａとを有し、検出開口Ｓ１ａ,Ｓ２ａ,ＳＴａ,ＳＦａ,ＳＧａを通過するパチンコ球Ｐを検出し得るよう構成されている。
【００３３】
(第２始動入賞装置)
図２に示すように、第２始動入賞装置３８は、遊技盤２０の下側左右方向中央部に配設された第１始動入賞装置３６の右側に配設され、第２始動入賞装置３８の第２始動入賞口３９は、表示窓口３４ａの下側において遊技盤２０の左右方向中央部で上方に開口する第１始動入賞口３７の右下側に、前後方向に開口するように設けられている。図１０〜図１５に示すように、第２始動入賞装置３８は、遊技盤２０の前面に取り付けられる平板状の始動取着部(取着部)５１と、該始動取着部５１に形成されて前後に開口し、パチンコ球Ｐが入賞可能な第２始動入賞口(入賞口)３９と、当該始動取着部５１の後側に配設され、第２始動入賞口３９に入賞したパチンコ球Ｐが移動する収容空間７０ａが内部画成された始動装置本体(本体部)７０と、該始動装置本体７０に配設され、遊技領域２０ａを流下するパチンコ球Ｐを第２始動入賞口３９へ案内する開放状態(入賞許容位置)および第２始動入賞口３９へパチンコ球Ｐが入賞不能な閉成状態(入賞規制位置)に変位可能な開閉部材８８と、当該始動装置本体７０に配設された始動ソレノイド(駆動手段)１０８と、開閉部材８８と始動ソレノイド１０８とを接続する第２始動作動手段(作動手段)９５とを基本的に備えている。ここで、第２始動入賞装置３８は、前述した開放条件の成立に伴って開閉部材８８が入賞許容位置に移動し、前述した閉鎖条件の成立に伴って開閉部材８８が入賞規制位置に移動するよう始動ソレノイド１０８が駆動制御される。すなわち、始動ソレノイド１０８の駆動に伴って作動された始動作動手段９５が開閉部材８８を入賞許容位置および入賞規制位置に移動させることで、第２球流下経路２２を流下するパチンコ球Ｐの第２始動入賞口３９への入賞を制限するよう構成されている。
【００３４】
(始動取着部)
前記第２始動入賞装置３８は、第２装着口３７ｂに始動装置本体７０を前側から挿入すると共に、始動取着部５１における第２装着口３７ｂの開口外側に延在する部分を遊技盤２０の前面に当接させて当該部分をネジ止めすることで、始動装置本体７０が遊技盤２０の後方へ突出した状態で取り付けられる(図７参照)。図１４および図１５に示すように、始動取着部５１には、第２始動入賞口３９の下方位置に、開閉部材挿通口５３が前後に開口するよう形成されて、始動ソレノイド１０８の駆動に伴って入賞規制位置から入賞許容位置に移動した開閉部材８８が、該開閉部材挿通口５３を介して始動取着部５１の前方へ突出するよう構成されている(図１３(ｂ)参照)。すなわち、入賞許容位置に移動した開閉部材８８は、第２球流下経路２２を流下するパチンコ球Ｐを受け止め得るようになっている(図４参照)。また、第２始動入賞口３９と開閉部材挿通口５３とは、上下に連通するよう形成されており、開閉部材８８上に受け止められたパチンコ球Ｐが、第２始動入賞口３９へ誘導されるよう構成されている。なお、開閉部材挿通口５３は、第２始動入賞口３９の左右開口幅より幅広に設定されており、開閉部材８８に形成されたガイド突部９１,９１(図１４,図１５参照)が始動取着部５１に干渉するのを防止している。
【００３５】
図１４および図１５に示すように、前記始動取着部５１には、開閉部材挿通口５３の下側に、前後に貫通する光透過口５４が形成されると共に、この光透過口５４に嵌め合わせて、光を透過可能なカバー部材５５が取り付けられている。実施例の始動取着部５１は、光透過口５４が開閉部材挿通口５３の下側から右側の領域に亘って左右方向に幅広に形成されている(図１７参照)。カバー部材５５は、後方に開放する略トレイ形状に形成され、この光透過口５４に合わせて形成された該カバー部材５５の前板部分に、光拡散処理(実施例ではシボ加工)が施されて、始動装置本体７０に配設された後述する始動発光手段(発光手段)６７からの光の照射により発光可能な発光飾り部(飾り部)５６として構成されている(図１３参照)。始動取着部５１では、該始動取着部５１の前面と発光飾り部５６の平坦な前面との前後位置が揃い、始動取着部５１および発光飾り部５６が遊技領域２０ａに臨む盤面の一部を構成している。なお、カバー部材５５における発光飾り部５６の外周縁から後方へ突出する周壁部５７は、透明であり、始動発光手段６７から照射された光が透過するようになっている。また、始動取着部５１における光透過口５４(発光飾り部５６)の裏面側には、入賞球通路ユニット５０の前側に配設された第２ユニット発光手段１５８が配置されており(図３および図４参照)、第２ユニット発光手段１５８から照射される光によっても発光飾り部５６を照明可能な構成としている。
【００３６】
(ガイド手段)
図１２、図１３および図１７に示すように、前記始動取着部５１の前面には、第２球流下経路２２を流下するパチンコ球Ｐを第２始動入賞口３９へ誘導するガイド手段６０が設けられている。ガイド手段６０は、第２始動入賞口３９を挟む左右両側に設けられて始動取着部５１の前面から前方へ突出する一対のガイド部６１,６２から構成される。各ガイド部６１,６２は、その上面に、対向する他方のガイド部６１,６２に向けて下方傾斜する傾斜面６３が形成されると共に、第２始動入賞口３９を挟んで他方のガイド部６１,６２に対向する側面が上下方向に延在するガイド面６４となっている。一対のガイド部６１,６２におけるガイド面６４,６４間には、パチンコ球Ｐが上下方向に通過可能な球流下路６０ａが画成されており、実施例の球流下路６０ａは、パチンコ球１個ずつの通過を許容する左右幅で形成されている。すなわち、入賞許容位置に移動した際に球流下路６０ａに重なるように開閉部材８８が臨んで、該球流下路６０ａを通過するパチンコ球Ｐを第２始動入賞口３９へ案内すると共に(図４,図１２(ｂ)および図１３(ｂ))、入賞規制位置に移動した際に球流下路６０ａから開閉部材８８が退避すると共に第２始動入賞口３９を閉成して入賞を阻止するよう構成されている(図３,図１２(ａ)および図１３(ａ))。第２始動入賞口３９の左側に位置する左ガイド部６１(すなわち第２球流下経路２２の下流側に位置するガイド部)は、該第２始動入賞口３９の右側に位置する右ガイド部６２よりも上方へ突出するよう構成されている。これにより、第２球流下経路２２を流下するパチンコ球Ｐが左ガイド部６１のガイド面６４に接触し易くなり、球流下路６０ａへパチンコ球Ｐが誘導されるようになっている。
【００３７】
図１７に示すように、前記ガイド部６１,６２の下部は、第２始動入賞口３９より左右幅が広い開閉部材挿通口５３に合わせて、ガイド面６４より他方のガイド部６１,６２から離れる側方(外側方)へ凹むように段状に形成されている。左右のガイド部６１,６２の下部に形成された段部の間は、左右のガイド面６１,６２の間隔よりも広く、球流下路６０ａの下側が左右に広くなっている。
【００３８】
(飾りカバー部)
図１２に示すように、左右のガイド部６１,６２の前端には、板状の飾りカバー部６５が始動取着部５１と略平行となる姿勢で取り付けられている。飾りカバー部６５は、始動取着部５１の前面からパチンコ球Ｐを通過可能な間隔をあけて配設されており、実施例では始動取着部５１との間にパチンコ球１個ずつの通過を許容する間隔をあけて配設された飾りカバー部６５により前記球流下路６０ａの前側が区画されている。また、飾りカバー部６５は、第２始動入賞口３９および発光飾り部５６の前側を覆うと共に、左右のガイド部６１,６２の傾斜面６３よりも上方へ延出するように配設されている(図１０および図１３参照)。ここで、飾りカバー部６５は、第２始動入賞口３９の前側および発光飾り部５６における始動発光手段６７で照明される発光領域の前側を少なくとも覆うように形成されると共に、少なくとも該発光領域の前側部分が光を透過可能に形成されて、始動発光手段６７からの光の照射により該発光領域の前側部分が照明可能に構成されている。実施例の飾りカバー部６５は、透明な板材に不透明な装飾線により所要デザインの装飾が施されており、発光飾り部５６の前側に重なる部分(光拡散部分)６５ａに光拡散処理が施されて後側が視認困難に形成される一方、第２始動入賞口３９の前側に重なる部分(透明部分)６５ｂが透明のままで形成されて当該透明部分６５ｂを介して前側から第２始動入賞口３９を視認可能になっている。
【００３９】
図１２および図１３に示すように、前記飾りカバー部６５の後面(第２始動入賞口３９に対向する面)には、第２始動入賞口３９の前方位置に、後方へ突出する誘導突起６６が形成されており、球流下路６０ａを通過するパチンコ球Ｐが誘導突起６６に接触して第２始動入賞口３９側に弾かれることで、パチンコ球Ｐの第２始動入賞口３９への入賞を補助している。誘導突起６６は、第２始動入賞口３９の左右方向中央部に対応する位置で、その突出端部が第２始動入賞口３９の上下方向中央部に対応するように配置されている。また、誘導突起６６は、その上面に、後方へ向かうにつれて下方傾斜する傾斜面を有している。
【００４０】
(始動装置本体)
図１４および図１５に示すように、前記第２始動入賞装置３８の始動装置本体７０は、前後に開口する前側ケース体７１と、該前側ケース体７１の後方に設けられ、前後および下方に開口する後側ケース体７６とから構成されている。前側ケース体７１および後側ケース体７６は、何れも透明な樹脂成形品であり、実施例の始動装置本体７０は、全体して光を透過可能に構成されている。そして、両ケース体７１,７６を組み付けることで前記収容空間７０ａが内部画成されて、開閉部材８８および始動作動手段９５が収容空間７０ａ内に収容される。前側ケース体７１は、始動取着部５１に形成した第２始動入賞口３９の開口形状に整合する開口形状で前後に開口し、該第２始動入賞口３９に入賞したパチンコ球Ｐが通過する本体球通路７２と、該本体球通路７２の下部に形成されて始動取着部９１に形成した開閉部材挿通口５３の開口形状に整合する開口形状で前後に開口して、開閉部材８８を前後移動可能に案内するガイド溝部７３とを備えている。ここで、本体球通路７２とガイド溝部７３は相互に連通するよう形成されている。すなわち、前側ケース体７１は、第２始動入賞口３９および開閉部材挿通口５３の開口形状に整合する開口形状で前後に開口する筒状に形成されている。また、図１４に示すように、前側ケース体７１の内底面７１ａには、後方へ下方傾斜する案内片７１ｂが上方へ突出するよう形成されており、該案内片７１ｂの傾斜に沿ってパチンコ球Ｐを後方へ案内するようになっている。すなわち、実施例では、前側ケース体７１の内底面７１ａおよび案内片７１ｂが、開閉部材８８の球通過開口８８ａを介して流下したパチンコ球Ｐを受けると共に、開放状態から閉成状態へ向けて移動する開閉部材８８に重なる領域でパチンコ球Ｐを位置させる本体球通路７２の底部として機能する。
【００４１】
図１４および図１５に示すように、前記後側ケース体７６は、前面全体が開口する箱状に形成されると共に、後面板７７の上部位置に前後に開口する後側開口部７７ａが開設されている。そして、後側開口部７７ａを介して収容空間７０ａ内にプランジャ１０８ａを臨ませた姿勢で、始動ソレノイド１０８が後側ケース体７６の後面板７７に取り付けられている。また、後側ケース体７６の下面板には、パチンコ球Ｐが通過可能な球導出口７９を画成する前方に開放した切欠が形成されており、前側ケース体７１と後側ケース体７６とを組み付けた際に、前記切欠の前側に前側ケース体７１の下面板が延在し、始動装置本体７０の下面に、後側ケース体７６の切欠と前側ケース体７１の後縁により本体球通路７２に連通する球導出口７９が画成される。第２始動入賞装置３８は、第２始動入賞口３９を通過して始動装置本体７０の球通路７２に入ったパチンコ球Ｐが本体球通路７２を通って球導出口７９を介して始動装置本体７０の外部(下方)に排出されるようになっている。球導出口７９は、設置部材３２に設けた第２始動入賞球通路４７の球導入口４７ａに連通するよう構成されて、パチンコ球Ｐが球導出口７９から第２始動入賞球通路４７へ排出されるようになっている。また、始動装置本体７０における球導出口７９の上方には、第２始動入賞センサＳ２を保持可能なホルダ８０が形成されている。実施例では、第２始動入賞球通路４７に第２始動入賞センサＳ２が設置され、始動装置本体７０から排出されて第２始動入賞球通路４７を流下するパチンコ球Ｐを、第２始動入賞センサＳ２で検出する構成であるが、第２始動入賞球通路４７から始動装置本体７０のホルダ８０に第２始動入賞センサＳ２を付け替えて始動装置本体７０でパチンコ球Ｐを検出したり、始動装置本体７０および第２始動入賞球通路４７の両方に第２始動入賞センサＳ２を設置することが可能になっている。
【００４２】
図１３に示すように、前記後側ケース体７６には、始動ソレノイド１０８の下方位置に、前方へ開口するガイド凹部８２が形成されて、該ガイド凹部８２に開閉部材８８の後部が挿入されている。ここで、ガイド凹部８２は、始動取着部５１に形成された開閉部材挿通口５３と前後に整列する位置に形成されている。すなわち、開閉部材８８は、前側ケース体７１に形成されたガイド溝部７３および後側ケース体７６に形成されたガイド凹部８２により収容空間７０ａ内を前後移動可能に保持されている。
【００４３】
前記後側ケース体７６には、始動作動手段９５の後述する第２作動部材１００を揺動可能に支持する長溝８４(図１４参照)と、該第２作動部材１００の揺動を規制する規制ガイド部８５(図１５参照)とが形成されている。長溝８４は、後側ケース体７６の左右内側面８３,８３に、収容空間７０ａの内方および前方へ開口すると共に前後方向に延在するよう形成され、該長溝８４に沿って第２作動部材１００の揺動軸１０３が前後方向に移動可能に支持されている。なお、長溝８４の前方開口は、前側ケース体７１に形成された遮蔽片７４,７４が嵌合して塞がれている。ここで、第２作動部材１００の揺動軸１０３は、始動ソレノイド１０８を駆動停止した状態(プランジャ１０８ａが突出した状態)で長溝８４の前端部側(以下、規制位置という)に保持され、始動ソレノイド１０８を駆動した状態(プランジャ１０８ａが引かれた状態)で長溝８４の後端部側(以下、許容位置という)に保持されるようになっている。
【００４４】
前記規制ガイド部８５は、後側ケース体７６の左右内側面に形成されて長溝８４の上方に位置し、該長溝８４と平行に前後方向に延在する規制溝部８５ａ(図１４参照)と、該内側面に形成されて規制溝部の後端部に連通する円弧状の案内孔８５ｂ(図１５参照)とから構成されて、該規制ガイド部８５に第２作動部材１００に形成された係合突部１０６(後述)が挿入されている。ここで、長溝８４の前端部側の規制位置に揺動軸１０３が位置する状態において、揺動軸１０３と係合突部１０６との離間距離を半径とする揺動軸１０３を中心とした円弧軌跡が規制溝部の上下の壁に交差するよう構成されている。すなわち、長溝８４の規制位置に揺動軸１０３が位置する状態では、係合突部１０６に規制溝部８５ａが係合(接触)して、該揺動軸１０３を中心とした第２作動部材１００の揺動が規制されるようになっている。また、規制溝部８５ａは、収容空間７０ａの内方および前方へ開口する一方で、始動装置本体７０(後側ケース体７６)の外方へ開口しないよう形成されており、該始動装置本体７０(後側ケース体７６)の外側から規制溝部８５ａ内にある係合突部１０６への干渉を防止している。規制ガイド部８５を構成する案内孔８５ｂは、長溝８４の後端部側の許容位置に揺動軸１０３が位置する状態において、揺動軸１０３と係合突部１０６との離間距離を半径とする揺動軸１０３を中心とした円弧軌跡に沿って延在している。すなわち、長溝８４の許容位置に揺動軸１０３が位置する状態では、係合突部１０６と規制溝部８５ａとの係合(接触)が解除されて、該揺動軸１０３を中心とした第２作動部材１００の揺動が許容されるようになっている。
【００４５】
(開閉部材)
図１６に示すように、前記開閉部材８８は、前後方向に長尺な平板状に形成され、光を透過不能に構成されている。開閉部材８８には、左右の側端部に、側方へ突出するガイド突部９１,９１が形成されている。開閉部材８８は、始動装置本体７０(前側ケース体７１)に形成された左右のガイド溝部７３,７３に、対応するガイド突部９１,９１を摺動可能に挿入すると共に、該始動装置本体７０(後側ケース体７６)に形成されたガイド凹部８２に該開閉部材８８の後端部を摺動可能に挿入している。開閉部材８８は、始動装置本体７０のガイド溝部７３およびガイド凹部８２に摺動可能に支持され、収容空間７０ａ内を前後移動し得るよう構成されている。なお、開閉部材８８は、収容空間７０ａの下部に配置されている。
【００４６】
図１６に示すように、前記開閉部材８８は、該入賞許容位置において第２始動入賞口３９(開閉部材挿通口５３)から前方に突出する前端部に設けられた球受部８９と、この球受部８９の上面に突出するよう形成され、後方へ向かうにつれて下方傾斜する球誘導片(誘導部)９０とを備えている。球受部８９は、第２始動入賞口３９の左右開口幅より幅広に形成されると共に、左右のガイド部６１,６２のガイド面６４,６４間の幅よりも幅広に形成され、本体球通路７２の底部を画成する前側ケース体７１の内底面７１ａに沿って前後方向に移動するようになっている。球誘導片９０は、球受部８９、第２始動入賞口３９の左右の開口幅および左右のガイド面６４,６４間の幅よりも左右幅が狭く形成されている。開閉部材８８が入賞規制位置にある状態では、球受部８９が開閉部材挿通口５３の内側に位置すると共に、球受部８９から上方へ突出する球誘導片９０の少なくとも一部が第２始動入賞口３９の内側に重なるように配置されている(図３および図１３(ａ)参照)。そして、開閉部材８８が入賞規制位置にある状態では、球誘導片９０の上縁と第２始動入賞口３９の開口上縁との隙間、球誘導片９０の側縁と第２始動入賞口の開口側縁との隙間が、パチンコ球Ｐの直径より小さくなるように設定されており、球誘導片９０により第２始動入賞口３９へのパチンコ球Ｐの通入が阻まれるようになっている。
【００４７】
図４および図１３(ｂ)に示すように、開閉部材８８が入賞許容位置にある状態では、球受部８９が開閉部材挿通口５３を介して遊技盤２０(始動取着部９１)の前面に突出して球流下路６０ａの下側に臨むと共に、球誘導片９０が開閉部材挿通口５３および第２始動入賞口３９を介して遊技盤２０(始動取着部９１)の前面に突出して球流下路６０ａの内側に位置するようになっている。開閉部材８８が入賞許容位置にある状態では、左右のガイド面６４,６４間より幅広に形成された球受部８９が、球流下路６０ａの下側に左右方向に亘って延在すると共に左右のガイド面６４,６４の下側に配置される。また、開閉部材８８が入賞許容位置にある状態では、左右のガイド面６４,６４間に位置する球誘導片９０の上縁が、誘導突起６６の下側に位置し、誘導突起６６の上面の傾斜面から球誘導片９０にかけて、後方へ向けて下方傾斜するように連なったパチンコ球Ｐの誘導面が構成される。このように、第２始動入賞装置３８は、開閉部材８８が入賞許容位置に移動した状態では、第２球流下経路２２(球流下路６０ａ)を流下するパチンコ球Ｐが球誘導片９０で受け止められて、該球誘導片９０の傾斜により後方(すなわち第２始動入賞口３９側)へ案内するようになっている。
【００４８】
図１３および図１６に示すように、前記開閉部材８８には、球誘導片９０(球受部８９)の後方位置に、パチンコ球Ｐが通過可能な球通過開口８８ａが上下方向に開口するよう開設されている。ここで、開閉部材８８は、前端部の球受部８９と後端部の板状部とを左右に対向する壁片で繋いだ形状になっている。開閉部材８８は、入賞許容位置および入賞規制位置の両方に亘って、本体球通路７２が該本体球通路７２の後部に設けられた球導出口７９に連通するように形成され、入賞許容位置および入賞規制位置の何れの状態にあっても、本体球通路７２に入ったパチンコ球Ｐを球通過開口８８ａを介して球導出口７９から排出可能になっている(図１３参照)。球通過開口８８ａは、開閉部材８８が入賞許容位置にある状態で、始動装置本体７０(前側ケース体７１)の内底面７１ａに形成された案内片７１ｂおよび球導出口７９の上方で同時に開口するよう構成されている(図４および図１３(ｂ)参照)。すなわち、球誘導片９０の傾斜により第２始動入賞口３９を通過して本体球通路７２に入ったパチンコ球Ｐは、開閉部材８８の球通過開口８８ａから案内片７１ｂ上に落下し、該案内片７１ｂの傾斜に沿って後方に案内されて最終的に球導出口７９から排出されるようになっている。また、本体球通路７２の案内片７１ｂ(内底面７１ａ)は、入賞許容位置にある開閉部材８８の球通過開口８８ａを介して流下したパチンコ球Ｐを受けると共に、入賞許容位置から入賞規制位置へ向けて移動する開閉部材８８の球受部８９の移動経路に重なる領域でパチンコ球Ｐを位置させるよう構成されている。そして、開閉部材８８は、入賞許容位置から入賞規制位置へ向けた後方移動に伴って、案内片７１ｂ(内底面７１ａ)を転動するパチンコ球Ｐを、案内片７１ｂ(内底面７１ａ)の後側に設けられた球導出口７９へ向けて押すようになっている。
【００４９】
図４および図１３(ｂ)に示すように、前記開閉部材８８が入賞許容位置にある状態では、球通過開口８８ａの前縁が第２始動入賞口３９に位置すると共に、球通過開口８８ａの後縁が球導出口７９の後縁上方に位置するよう設定され、球通過開口８８ａが案内片７１ｂ(内底面７１ａ)における第２始動入賞口３９から球導出口７９までに亘る略全体に重なっている。すなわち、本体球通路７２の内底面を画成する前側ケース体７１の透明な下板と本体球通路７２の上面を画成する前側ケース体７１の透明な上板とが、開閉部材８８の球通過開口８８ａを介して対向し、本体球通路７２(前側ケース体７１)を上下に光が透過可能になっている。図３および図１３(ａ)に示すように、開閉部材８８が入賞規制位置にある状態では、球受部８９が案内片７１ｂ(内底面７１ａ)に対して第２始動入賞口３９から球導出口７９の前縁までの前側領域上方に重なる一方、第２始動入賞口３９から球導出口７９の前縁までの後側領域上方に球通過開口８８ａが重なっている。すなわち、開閉部材８８が入賞規制位置にある状態において、本体球通路７２(前側ケース体７１)における球受部８９が重なる前側領域は、光を透過しない球受部８９により上下の光の透過が規制されている。
【００５０】
図１４および図１５に示すように、前記開閉部材８８における左右の側端部には、ガイド突部９１,９１の後方位置に、側方へ突出する突片９２,９２が前後方向に離間して設けられており、前後一対の突片９２,９２の間に、上下および側方に開放した作動溝９３が開閉部材８８における左右の側端部に形成されている。第２作動部材１００に形成された作動軸１０４が、各作動溝９３に挿入されて、第２作動部材１００と開閉部材８８とを連繋接続し、作動手段９４の作動(第２作動部材１００の揺動)に伴って開閉部材８８が入賞規制位置および入賞許容位置の間で前後移動するよう構成されている。なお、開閉部材８８が入賞許容位置に移動した際に、前側に位置する突片９２,９２が前側ケース体７１のガイド溝部７３に当接し、該開閉部材８８が入賞規制位置に移動した際に、後側に位置する突片９２,９２が後側ケース体７６の後面板７７に当接するよう構成されており、一対の突片９２,９２が開閉部材８８を入賞許容位置および入賞規制位置で位置決めする位置決め手段として機能するようになっている。
【００５１】
(始動作動手段)
図１６に示すように、前記始動作動手段１３５は、始動ソレノイド１０８のプランジャ１０８ａに接続される第１作動部材９６と、該第１作動部材９６に接続すると共に開閉部材８８に接続する第２作動部材１００とから構成されている。第１作動部材９６には、プランジャ１０８ａが係合する係合溝９７ａが基部９７に形成されて、始動ソレノイド１０８の通電・非通電の切り替えに伴ってプランジャ１０８ａと一体的に第１作動部材９６が前後移動するよう構成されている。また、第１作動部材９６には、基部９７の前面側に左右方向に開口する連繋孔９８ａが上下方向に延在するよう形成された連繋部９８が形成されて、該連繋部９８の連繋孔９８ａに第２作動部材１００の連繋軸１０１が上下方向に摺動可能に挿通されている。なお、実施例の連繋部９８は、連繋孔９８ａが上方開口するＵ字状に形成されて、該連繋孔９８ａの上方開口を介して連繋軸１０１が挿入されている。
【００５２】
(第２作動部材)
図１６に示すように、前記第２作動部材１００は、第１作動部材９６に連繋接続される連繋軸１０１と、該連繋軸１０１の左右両端部に設けられて開閉部材８８に連繋接続されると共に始動装置本体７０に揺動可能に支持された揺動アーム１０２,１０２と、始動装置本体７０に形成された規制ガイド部８５(規制溝部８５ａ)に係脱可能に係合する係合突部１０６とを備えている。そして、始動ソレノイド１０８の非駆動時に、第２作動部材１００の係合突部１０６が規制ガイド部８５に係合して該第２作動部材１００の揺動動作を規制し、始動ソレノイド１０８の駆動時に、第２作動部材１００の揺動動作を許容するよう係合突部１０６および規制ガイド部８５の係合状態が解除されるよう構成されて、始動ソレノイド１０８の駆動以外の手段によって開閉部材８８が入賞許容位置および入賞規制位置に移動するのを防止している。連繋軸１０１は、第１作動部材９６の連繋部９８に形成された連繋孔９８ａに挿入されて、該第１作動部材９６と一体的に連繋軸１０１が前後移動されることで揺動アーム１０２(第２作動部材１００)を揺動するよう構成されている。また、連繋軸１０１には、連繋孔１３８ａに挿入した状態で連繋部９８の左右側端部に当接する環状突部が左右に離間して形成されており、両環状突部が連繋部９８に当接することで、連繋部９８と連繋軸１０１とが位置決めされるようになっている。
【００５３】
図１６に示すように、前記揺動アーム１０２は、連繋軸１０１の両端部から下方へ延出するよう形成されると共に、該揺動アーム１０２における連繋軸１０１に近接する端部側に、始動装置本体７０に形成された長溝８４に支持される揺動軸１０３が外方へ突出するよう形成されている。すなわち、第２作動部材１００は、長溝８４に支持された揺動軸１０３を中心として始動装置本体７０に対して揺動可能に支持されている。また、各揺動アーム１０２における連繋軸１０１から離間する端部側(下端部側)には、開閉部材８８に連繋接続する作動軸１０４が形成されている。すなわち、第２作動部材１００を始動装置本体７０に揺動可能に支持する揺動軸１０３は、該第２作動部材１００における開閉部材８８に連繋する作動軸１０４から離間した位置に設けられている。なお、各揺動アーム１０２に形成された作動軸１０４の夫々は、対向する揺動アーム１０２側に突出しており、開閉部材８８の作動溝９３に外側から挿入されている。
【００５４】
前記始動ソレノイド１０８を駆動していない状態(開閉部材８８が入賞規制位置にある状態)では、始動装置本体７０の長溝８４の前端部よりも前方に連繋軸１０１が位置するよう構成されて、揺動アーム１０２が揺動軸１０３を中心に後方へ向けて下方傾斜して作動軸１０４が揺動軸１０３よりも後側に位置するようになっている。そして、始動ソレノイド１０８を駆動した状態(開閉部材８８が入賞許容位置にある状態)では、始動装置本体７０の長溝８４の後端部よりも後方に連繋軸１０１が位置するよう構成されて、揺動アーム１０２が揺動軸１０３を中心に前方へ向けて下方傾斜して作動軸１０４が揺動軸１０３よりも前側に位置するよう構成されている。すなわち、始動ソレノイド１０８の駆動を切り替えて連繋軸１０１を前後移動することで、開閉部材８８が入賞規制位置および入賞許容位置に前後移動される。そして、始動ソレノイド１０８を駆動していない状態では、長溝８４の前端部よりも前方に前記連繋軸１０１が位置することにより、揺動軸１０３が長溝８４の規制位置に保持される。図１６に示すように、前記揺動アーム１０２の夫々には、連繋軸１０１の左右両端部から揺動アーム１０２に交差(実施例では直交)する後方へ延在する突出片１０５が形成されている。そして、各突出片１０５の突出端部に、係合突部１０６が外方へ突出するよう形成されて、該係合突部１０６が始動装置本体７０に形成された規制ガイド部８５(規制溝部８５ａおよび案内孔８５ｂ)に挿入されている。すなわち、係合突部１０６は、第２作動部材１００において揺動軸１０３を挟んで開閉部材８８の連繋部９８とは反対側に設けられている。
【００５５】
前記揺動軸１０３が規制位置にある状態では、規制ガイド部８５の規制溝部８５ａ内に係合突部１０６が位置している。すなわち、始動ソレノイド１０８を駆動していない状態では、第２作動部材１００を揺動しようとしても、係合突部１０６が規制溝部８５ａに係合して移動規制され、該揺動軸１０３を中心とした第２作動部材１００の揺動が阻止されて、開閉部材８８が入賞規制位置に保持される。また、揺動軸１０３が規制位置にある状態では、該揺動軸１０３と係合突部１０６との結ぶ直線に対して連繋軸１０１の移動方向が交差するよう構成されており、始動ソレノイド１０８を駆動して連繋軸１０１が後方移動した際に、揺動軸１０３が長溝８４に沿って後方移動されると共に、係合突部１０６が規制溝部８５ａに沿って後方移動される。そして、揺動軸１０３が規制溝部８５ａの後端部側の許容位置まで移動することで、係合突部１０６が案内孔８７に臨んで、該揺動軸１０３を中心とした第２作動部材１００の揺動が許容されて、更に連繋軸１０１が後方移動することで開閉部材８８が入賞許容位置に移動されるようになっている。
【００５６】
(始動発光手段)
図１３に示すように、始動装置本体７０には、本体球通路７２に向けて光を照射し得る始動発光手段(発光手段)６７が配設されている。始動発光手段６７は、発光体としてのＬＥＤ６８が実装された基板６９からなり、前側ケース体７１における上板の上側に、ＬＥＤを下側へ向けた姿勢で基板６９が取り付けられている。そして、始動発光手段６７は、ＬＥＤ６８から下方へ向けて光を照射し得るようになっている。前述したように、始動装置本体７０は、前側ケース体７１が透明に形成されて、前側ケース体７１における上板の上側に配設された始動発光手段６７の光照射方向前側(下側)の部分となる上板および下板が光を透過可能に構成されている。すなわち、始動発光手段６７は、ＬＥＤ６８から照射した光により本体球通路７２における第２始動入賞口３９を介して前側から視認可能な内側領域を照明し得ると共に、本体球通路７２(前側ケース体７１)を透過する光により始動取着部５１における本体球通路７２(前側ケース体７１)の下側に延在する発光飾り部５６を照明可能に構成されている。ここで、始動装置本体７０の下側で発光飾り部５６の後側には、光を反射し得る反射面を備えた反射部８６が、始動発光手段６７の光照射方向前側に配置され(図１３参照)、反射部８６は、始動発光手段６７から下方へ照射された光を反射面で前方へ向けて反射するよう構成されている。そして、第２始動入賞装置３８は、始動発光手段６７により照明される発光飾り部５６を透過した光によって、該発光飾り部５６の前側に重なる飾りカバー部６５も照明可能になっている。ここで、第２始動入賞装置３８は、飾りカバー部６５の透明部分６５ｂを介して第２始動入賞口３９を前側から視認可能になっており、開閉部材８８が入賞規制位置にある状態では、第２始動入賞口３９と球誘導片９０との隙間から始動発光手段５７からの光の照射による発光が視認でき、開閉部材８８が入賞許容位置にある状態では、第２始動入賞口３９より始動発光手段５７からの光の照射による発光が視認できるようになっている。
【００５７】
図１３に示すように、前記前側ケース体７１の上板における左右方向中央部で第２始動入賞口３９側に偏倚した位置に、始動発光手段６７のＬＥＤ６８が配置されている。開閉部材８８が入賞規制位置にある状態では、光を透過しない球受部８９が始動発光手段６７のＬＥＤ６８の光照射方向前側に重なり、該始動発光手段６７による本体球通路７２の照明を許容する一方で発光飾り部５６側への光の通過を規制するよう構成される(図３および図１３(ａ)参照)。また、開閉部材８８が入賞許容位置にある状態では、球受部８９が始動発光手段６７のＬＥＤ６８の光照射方向前側から外れて該ＬＥＤ６８の光照射方向前側に球通過開口８８ａが重なり、該始動発光手段６７による本体球通路７２の照明を許容すると共に発光飾り部５６側への光の通過を許容するよう構成される(図４および図１３(ｂ)参照)。すなわち、始動発光手段６７から光を照射した際に、開閉部材８８が入賞規制位置にある状態では、本体球通路７２が照明されるものの発光飾り部５６が照明されず、開閉部材８８が入賞規制位置にある状態では、本体球通路７２および発光飾り部５６が照明される。このように、第２始動入賞装置３８は、開閉部材８８の位置によって、照明可能な部分を切り替えることができる。
【００５８】
(配線保持部)
図１１に示すように、第２始動入賞装置３８は、始動取着部５１の後面から後方へ突出する支持片５８により始動装置本体７０の左横側に支持され、始動装置本体７０に配設された電気部品である始動ソレノイド１０８に接続する配線および電気部品である始動発光手段６７に接続する配線Ｈをまとめて保持する配線保持部５９を備えている。配線保持部５９は、上下に連通すると共に後方に開放した凹溝形状に形成され、後方開口を画成する左右の側壁後縁に該後方開口内側に向けて突出する配線保持片５９ａが互い違いに設けられている。
配線保持部５９には、始動ソレノイド１０８の上部に接続した配線Ｈが上から下に挿通されると共に、始動装置本体７０の上部に配設された始動発光手段６７の基板６９に接続した配線Ｈが上から下に挿通され、配線Ｈを上下方向に延在するように保持するようになっている。配線保持部５９は、第２始動入賞装置３８を遊技盤２０に取り付けた際に、第２装着口２７ｂに挿入されて遊技盤２０の後側に配置される。そして、図５に示すように、遊技盤２０と設置部材３２とを組み付けた際に、設置部材３２に設置された入賞球通路ユニット５０の第１ユニット発光手段１５６と第２ユニット発光手段１５８との間に設けられた収容段部１５４に収容される。このように、配線保持部５９は、設置部材３２に配設された設置部品である第１ユニット発光手段１５６と第２ユニット発光手段１５８との間に位置付けられ、該配線保持部５９で保持した配線Ｈを遊技盤２０の下側から取り出し得るようになっている。
【００５９】
(特別入賞装置)
図２に示すように、前記特別入賞装置４０は、遊技盤２０の右下側に配設された第２始動入賞装置３８の右上側に配設され、特別入賞装置４０の特別入賞口４１は、表示窓口３４ａの下側において遊技盤２０の左右方向中央部より右側に偏倚した位置に開口する第２始動入賞口３９の右上側に、前後方向に開口するように設けられている。図１８〜図２３に示すように、特別入賞装置４０は、前方に開放してパチンコ球Ｐが通過可能な横長矩形状の特別入賞口４１を備えた特別取着部(入賞装置取着部)１１０の後側に配設された特別装置本体(本体部)１１２と、該特別装置本体１１２に設けられ、特別入賞口４１を開閉する開閉扉(第２の開閉部材)１１４と、特別装置本体１１２に設けられ、特別ソレノイド(駆動手段)１１６により作動されて開閉扉１１４を開閉動作させる連繋部材(作動手段)１１８とから基本的に構成されている。
【００６０】
(特別取着部)
図２２および図２３に示すように、前記特別取着部１１０は、板状に形成されており、前後方向に貫通する特別入賞口４１が設けられている。特別入賞口４１は、左右方向に幅広に形成され、前後幅がパチンコ球１個ずつの通過を許容する寸法で設定されると共に、左右幅が複数個のパチンコ球Ｐを並べることでできる寸法で設定されている。そして、特別入賞装置４０は、第２装着口２７ｂに特別装置本体１１２を前側から挿入すると共に、特別取着部１１０における第２装着口２７ｂの開口外側に延在する部分を遊技盤２０の前面に当接させて当該部分をネジ止めすることで、特別装置本体１１２が遊技盤２０の後方へ突出した状態で取り付けられる(図７参照)。
【００６１】
(特別装置本体)
図２２および図２３に示すように、前記特別装置本体１１２は、特別ソレノイド１１６や特別入賞センサ(球検出手段)ＳＴ等が取付けられる下ケース１２０と、該下ケース１２０に対して上側から組付けられる上ケース１２２とから構成され、該上ケース１２２に設けた上下方向に開口する通孔を介して下ケース１２０の固定ボス１２１にネジ止めすることで、下ケース１２０および上ケース１２２が組み付けられる。特別装置本体１１２には、上ケース１２２および下ケース１２０を組み付けた際に、前方に開放する入賞空間１２４が画成され(図２４参照)、入賞空間１２４の前方開口部を、特別取着部１１０の特別入賞口４１に後側から整合させた状態で特別取着部１１０および特別装置本体１１２が組み付けられている(図２０参照)。入賞空間１２４は、特別入賞口４１に合わせて前方開口部の前後および左右幅が設定され、特別入賞口４１から入賞したパチンコ球Ｐを複数受け入れ可能に構成されている。実施例の下ケース１２０および上ケース１２２は、透明な樹脂成形品であり、特別装置本体１１２は光を透過可能に構成されている。入賞空間１２４の奥側には、該入賞空間１２４の前方開口部に対向する部位に、該入賞空間１２４に入賞したパチンコ球Ｐの通過を許容する球通過口１３０が設けられている。なお、球通過口１３０は、パチンコ球１個ずつの通過を許容する開口寸法で前後方向に開口し、入賞空間１２４の右側に偏倚した位置に配置されている(図２１および図２４参照)。
【００６２】
(下ケース)
図２１および図２２に示すように、前記下ケース１２０は、入賞空間１２４の底をなす底板１２５と、この底板１２５の左後側に設けられ、特別ソレノイド１１６が設置される部材設置部１２６と、底板１２５の後側に前方および下方に開口するトンネル状に形成され、入賞空間１２４の奥側に連通する通路画成部１２７と、入賞空間１２４と通路画成部１２７との間に設けられ、特別入賞センサＳＴを保持するセンサ保持部１２８とを備えている。下ケース１２０には、底板１２５を挟む左右側部と、部材設置部１２６および通路画成部１２７の間との夫々に、上方へ突出する固定ボス１２１が設けられている。
【００６３】
図２０、図２１および図２５に示すように、前記底板１２５は、通路画成部１２７の前側に、入賞空間１２４における前方開口部の下縁をなす前端部から後方へ向かうにつれて下方傾斜するよう形成された傾斜底面部１２５ａを有し、該傾斜底面部１２５ａを挟む左右の底面部１２５ｂ,１２５ｂが、左右方向外側から傾斜底面部１２５ａ側に向かうにつれて下方傾斜している。なお、傾斜底面部１２５ａと左右の底面部１２５ｂ,１２５ｂとの連設部は、前側から後側へ向かうにつれて段差が大きくなっている。傾斜底面部１２５ａは、上ケース１２２に設けられた後述する縦壁１２９に、下ケース１２０および上ケース１２２を組み付けた際に前記通路画成部１２７の前方開口および特別入賞センサＳＴの検出開口ＳＴａに整合するように設けられる球通過口１３０の前側に延在し、前側から球通過口１３０へ向けて下方傾斜するように形成されている。なお、傾斜底面部１２５ａは、球通過口１３０の左右幅と略同一の左右幅で形成されている。
【００６４】
図２１に示すように、前記通路画成部１２７は、入賞空間１２４の左右方向中央より右側に偏倚した部位に、前方開口が連通するように設けられている。通路画成部１２７は、左右の側壁片１２７ａ,１２７ａと、一対の側壁片の間を塞ぐ案内壁片１２７ｂとから構成され、案内壁片１２７ｂが両側壁片１２７ａ,１２７ａの上縁から後縁にかけて円弧状に延在している(図２０参照)。通路画成部１２７は、パチンコ球１個ずつの通過を許容するよう形成されて、前方開口から受け入れたパチンコ球Ｐを、下方に向けて開口する球導出口から該球導出口に連通する特別入賞球通路４８へ排出するようになっている。
【００６５】
図２０および図２１に示すように、前記センサ保持部１２８は、底板１２５の後縁部と通路画成部１２７の前方開口との間に設けられ、底板１２５の上面よりも下方へ凹むように形成されている。センサ保持部１２８は、特別入賞センサＳＴの長手が左右方向に延在すると共に検出開口ＳＴａが前後方向に開口する姿勢で、検出開口ＳＴａを通路画成部１２７の前方開口および前記球通過口１３０に前後に重なるように保持している。センサ保持部１２８に配設された特別入賞センサＳＴは、その後面が、通路画成部１２７の前方開口を画成する両側壁片１２７ａ,１２７ａおよび案内壁片１２７ｂの前縁に当接し、その前面下部が、底板１２５の後面に当接するようになっている。また、センサ保持部１２８に配設された特別入賞センサＳＴの前面上部は、下ケース１２０と上ケース１２２とを組み付けた際に、上ケース１２２の縦壁１２９の後面に当接するようになっている。すなわち、特別入賞センサＳＴは、通路画成部１２７と底板１２５および縦壁１２９との間に挟まれて前後の姿勢が規定されている。通路画成部１２７における側壁片１２７ａの前縁は、下から上に向かうにつれて後傾するように形成されて、これに対応して、底板１２５の後面および縦壁１２９の後面が、下から上に向かうにつれて傾斜する傾斜面で構成されている(図２１参照)。従って、センサ保持部１２８に保持された特別入賞センサＳＴは、検出開口ＳＴａの開口方向が、前から後に向かって下方傾斜する傾斜底面部１２５ａの傾斜に沿った姿勢になるように配設される。また、センサ保持部１２８は、特別入賞センサＳＴにおける検出開口ＳＴａの開口下縁が、傾斜底面部１２５ａの後縁の高さに整合するように保持しており、入賞空間１２４に延在する傾斜底面部１２５ａから特別入賞センサＳＴの検出開口ＳＴａの内面に亘って一連なりの傾斜面が形成されている。
【００６６】
(上ケース)
図２２および図２４に示すように、前記上ケース１２２は、入賞空間１２４の天井を構成する天井板の下面から下方へ突出するように形成され、入賞空間１２４の周面を構成する縦壁１２９を備えている。縦壁１２９は、上ケース１２２の前縁左側部(特別入賞口４１の左側縁に対応する側)から入賞空間１２４における前方開口部の開口内側(右側)へ向かうにつれて後側に傾斜するように延在する傾斜縦壁部１２９ａと、入賞空間１２４の奥側を画成し、左右方向に延在する後面縦壁部１２９ｂと、上ケース１２２の前縁右側部(特別入賞口４１の右側縁に対応する側)から後側へ延在する側面縦壁部１２９ｃとから構成される(図２１参照)。縦壁１２９は、傾斜縦壁部１２９ａの後端部が後面縦壁部１２９ｂの左端部に連なり、後面縦壁部１２９ｂの右端部が側面縦壁部１２９ｃの後端部に連なっている。実施例の側面縦壁部１２９ｃは、上ケース１２２の前縁右側部から入賞空間１２４における前方開口部の開口内側(左側)へ向かうにつれて後側に傾斜するように延在しており、前後方向の仮想直線との間でなす傾斜角度が、側面縦壁部１２９ｃよりも傾斜縦壁部１２９ａのほうが大きくなっている。
【００６７】
図２１に示すように、下ケース１２０と上ケース１２２とを組み付けた際に、傾斜縦壁部１２９ａが部材設置部１２６の前側に延在し、特別装置本体１１２において入賞空間１２４と部材設置部１２６とを傾斜縦壁部１２９ａにより区画している。また、下ケース１２０と上ケース１２２とを組み付けた際に、後面縦壁部１２９ｂおよび側面縦壁部１２９ｃがセンサ保持部１２８に保持され特別入賞センサＳＴの前側に延在している。下ケース１２０と上ケース１２２とを組み付けた際に、斜めに延在する傾斜縦壁部１２９ａの前後差により、特別装置本体１１２の外郭左側面を構成する外横壁１１２ａとの間に左空間部(空間部)１１２ｂが画成され、この左空間部１１２ｂに少なくとも一部が収容されるように前記連繋部材１１８が配設されている。また実施例では、特別装置本体１１２の左空間部１１２ｂに、左側の固定ボス１２１が収容配置されている。このように、特別装置本体１１２では、傾斜縦壁部１２９ａの後側において、該傾斜縦壁部１２９ａの後端部に連なる後面縦壁部１２９ｂより前側に広がる左空間部１１２ｂに、固定や作動のための部材を収容可能に構成されている。更に、特別装置本体１１２には、斜めに延在する側面縦壁部１２９ｃの前後差により、特別装置本体１１２の外郭右側面を構成する外横壁１１２ａとの間に右空間部１１２ｃが画成され、この右空間部１１２ｃに右側の固定ボス１２１が収容配置されている。
【００６８】
図２２に示すように、前記縦壁１２９の後面縦壁部１２９ｂには、下方に開放した切り欠き形状で前記球通過口１３０が形成されており、傾斜縦壁部１２９ａと繋がる左端部の屈曲部位から右側の所定範囲に亘って球通過口１３０が開設されている。傾斜縦壁部１２９ａおよび側面縦壁部１２９ｃは、入賞空間１２４に入賞したパチンコ球Ｐを、該入賞空間１２４の奧側に開口する球通過口１３０に向けて案内するよう傾斜している。また、後面縦壁部１２９ｂは、下ケース１２０と上ケース１２２とを組み付けた際に傾斜底面部１２５ａに相対すると共に球通過口１３０を画成する部位下端面が、傾斜底面部１２５ａに沿って前から後に向かうにつれて下方傾斜するよう形成され、球通過口１３０が後傾するように開口している。そして、特別入賞センサＳＴは、縦壁１２９に後傾するように開口した球通過口１３０の後側に、通過するパチンコ球Ｐを検出可能な検出開口１１７ａを整合させて配設されている。
【００６９】
図２２、図２４および図２５に示すように、前記特別装置本体１１２(下ケース１２０)の前部には、入賞空間１２４の前方開口部を挟むよう左右に離間して一対の支持部１３２,１３２が前方に突出して設けられている。各支持部１３２には、左右方向に貫通した支持孔が形成され、開閉扉１１４を軸支する左右の支軸ピン１３３,１３３が対応する側の支持孔に夫々挿入される。
【００７０】
(連繋部材)
図２５(ｂ)に示すように、前記下ケース１２０の左側部に設けられた部材設置部１２６には、バネ部材１１６ｂが巻装されたプランジャ１１６ａを前方へ延出させた状態で特別ソレノイド１１６が設置されている。プランジャ１１６ａには、下ケース１２０に設けられた支持受部１２０ａに左右方向の軸周りに回転可能に支持され、該プランジャ１１６ａの前後移動に伴って上下方向に揺動する連繋部材１１８が連結されている。連繋部材１１８には、プランジャ１１６ａに連結する本体部分から前方へ延出する揺動アーム１１９が一体形成されており、該揺動アーム１１９の先端部が開閉扉１１４の連繋受部１１５に連繋するよう構成される。連繋部材１１８は、本体部分の前部が前記左空間部１１２ｂに収容配置され、特別ソレノイド１１６によるプランジャ１１６ａの前後移動に伴う揺動に際して、左空間部１１２ｂにかかる領域が大小するように該本体部分が姿勢変位される。すなわち、左空間部１１２ｂは、連繋部材１１８の一部を収容するだけでなく、連繋部材１１８の姿勢変位を許容するスペースとしても用いられている。また、連繋部材１１８は、本体部分の左側部から前方へ突出する揺動アーム１１９が左空間部１１２ｂを通って前後方向に延在し、傾斜縦壁部１２９ａの前端部と左側の外横壁１１２ａとの間に、揺動アーム１１９の略Ｕ字状に形成された先端部が臨んでいる。なお、連繋部材１１８は、特別ソレノイド１１６が非励磁状態では、揺動アーム１１９の先端部を下方に指向させた姿勢となり、特別ソレノイド１１６が励磁状態では、揺動アーム１１９の先端部を上方に指向させた姿勢となる。
【００７１】
(開閉扉)
図１８に示すように、前記開閉扉１１４は、特別入賞口４１の開口形状に略合致する横長矩形板状に形成されている。開閉扉１１４の左側下端部および右側下端部には、前記支持部１３２の支持孔に整合する位置に、軸孔１１４ａが側方へ開放するよう設けられている。そして、開閉扉１１４を両支持部１３２,１３２の間に臨ませて、支持孔および軸孔１１４ａに支軸ピン１３３を挿入することで、開閉扉１１４が特別装置本体１１２に回動自在に支持される。また、開閉扉１１４の裏面(特別入賞口４１を閉鎖した状態で入賞空間１２４に臨む面)における左側下端部には、前記連繋部材１１８側に開放したＵ字状の連繋受部１１５が形成されており、該連繋受部１１５に連繋部材１１８の揺動アーム１１９の先端部が連繋している。そして、連繋部材１１８が揺動することで、連繋受部１１５が揺動アーム１１９により上下に変位して、開閉扉１１４が支軸ピン１３３を中心として回動するよう構成されている。
【００７２】
前記開閉扉１１４は、特別ソレノイド１１６が非励磁状態にあっては、バネ部材１１６ｂの付勢下に先端部が下方へ指向する揺動アーム１１９により連繋受部１１５が下方へ押され、支軸ピン１３３を中心に開閉扉１１４の開放端部を後方へ回動する方向へ力がかかり、開閉扉１１４が特別入賞口４１を閉鎖する閉鎖姿勢となり、特別入賞装置４０は特別入賞口４１からのパチンコ球Ｐの入賞が規制される閉成状態となる。一方、特別ソレノイド１１６が励磁状態にあっては、揺動アーム１１９により連繋受部１１５が上方へ押され、支軸ピン１３３を中心に開閉扉１１４の開放端部を前方へ回動する方向へ力がかかり、開閉扉１１４が特別入賞口４１を開放する開放姿勢となり、特別入賞装置４０は特別入賞口４１からのパチンコ球Ｐの入賞が許容される開放状態となる。開閉扉１１４は、開放姿勢において、特別入賞口４１の下側から前方(遊技領域２０ａ)に延出し、遊技領域２０ａ(第２球流通経路２２)を流下するパチンコ球Ｐを受け止めて、特別入賞口４１に案内するようになっている。なお、開閉扉１１４は、プランジャ１１６ａに設けられたバネ部材１１６ｂの弾性力により、常には特別入賞口４１を閉鎖する方向へ付勢されている。
【００７３】
前記特別装置本体１１２は、通路画成部１２７の後側に配設され、前側へ光を照射し得る特別発光手段１３６を備えている。特別発光手段１３６は、発光体としてのＬＥＤ１３７が実装された基板１３８からなり、下ケース１２０の後方に突出形成された爪部１２０ｂと部材設置部１２６の外壁面との間に基板１３８を挟むと共に、通路画成部１２７における案内壁片１２７ｂの下部に後方へ突出形成された受片１２０ｃに基板１３８が載置される。特別発光手段１３６は、案内壁片１２７ｂにおける上下方向に延在する部位に、ＬＥＤ１３７が相対するように配置され、ＬＥＤ１３７から照射した光により、所要の光拡散処理が施された案内壁片１２７ｂを通して通路画成部１２７の内側および特別入賞センサＳＴの検出通口ＳＴａを介して入賞空間１２４の内側を照明し得るようになっている。なお、特別取着部１１０および開閉扉１１４には、光を透過可能に構成された光透過部１１０ａ,１１４ｂが設けられ、入賞空間１２４を照らす光により開閉扉１１４の光透過部１１４ｂを照明すると共に、透明な特別装置本体１１２を透過した光により特別取着部１１０の光透過部１１０ａを照明し得るようになっている。
【００７４】
(球通過ゲート)
図２に示すように、特別入賞装置４０の上側には、パチンコ球Ｐが通過可能なゲート通過口(通過口)１４０を遊技領域２０ａに臨ませて球通過ゲート４４が配設され、ゲート通過口１４０を通過するパチンコ球Ｐをゲート球検出手段４５により検出するようになっている。球通過ゲート４４は、特別入賞口(第２の入賞口)４１の上側で、かつ特別入賞口４１における左右方向の開口範囲内に前記ゲート通過口１４０が配置され、該ゲート通過口１４０を通過したパチンコ球Ｐが開閉扉１１４が開放状態にある特別入賞口４１に入賞可能に構成されている。実施例では、ゲート通過口１４０が特別入賞口４１における左右方向開口範囲の中央部で、特別入賞口４１の直上に配置されている。球通過ゲート４４は、特別入賞口４１に近接して配置されており、ゲート通過口１４０の直下から特別入賞口４１に至るまでの間に、遊技釘２８や風車などのパチンコ球Ｐの流下方向に変化を与える遊技部品が設けられていない。ここで、ゲート通過口１４０は、上下方向に貫通形成されると共に、パチンコ球１個ずつの通過を許容する大きさに設定されている。
【００７５】
図１８および図１９に示すように、球通過ゲート４４は、板状のゲート取着部１４１と、このゲート取着部１４１の前側に設けられ、前記ゲート通過口１４０を画成するゲート飾り部１４２と、パチンコ球Ｐが通過可能な検出開口ＳＧａをゲート通過口１４０に整合させて、ゲート取着部１４１およびゲート飾り部１４４に保持されるゲートセンサＳＧとを備えている。
【００７６】
(ゲート取着部)
図２２および図２３に示すように、ゲート取着部１４１は、前後に貫通するように形成され、ゲートセンサＳＧを挿通可能なセンサ挿通口１４２と、該ゲート取着部１４１の後面から後方へ突出すると共に、センサ挿通口１４２を上下に挟んで対向するよう形成された一対のセンサ保持片１４３,１４３とを備えている。センサ挿通口１４２は、ゲートセンサＳＧの外形に合わせて矩形状に形成され、センサ挿通口１４２の開口上縁に沿って延在するように上側のセンサ保持片１４３が設けられると共に、センサ挿通口１４２の開口下縁に沿って延在するように下側のセンサ保持片１４３が設けられる。ゲート取着部１４１は、センサ挿通口１４２に挿入して該ゲート取着部１４１の後側に突出するゲートセンサＳＧの後部を上下のセンサ保持片１４３,１４３で挟持し、該ゲートセンサＳＧの検出開口ＳＧａが開設された前部を該ゲート取着部１４１の前側に臨ませた状態で保持するようになっている。ゲート取着部１４１は、遊技盤２０に開設された第２装着口２７ｂに、上下のセンサ保持片１４３,１４３およびゲートセンサＳＧの後部を挿入し、遊技盤２０の前面に重なる部位をネジ止めすることで、該第２装着口２７ｂを覆うように遊技盤２０に設置される。
【００７７】
図１８および図１９に示すように、前記ゲート取着部１４１は、特別入賞装置４０の特別取着部１１０の上側に設けられている。また、ゲート取着部１４１は、その左右方向の幅が、特別取着部１１０の左右方向の幅より狭く形成され、特別入賞口の左右方向の幅よりも狭くなっている。ゲート取着部１４１は、特別入賞口４１の上側で、その左右方向の位置が該特別入賞口４１の左右の開口範囲内になるように配置されている。そして、ゲート取着部１４１は、その下縁が特別取着部１１０の上縁に繋がっており、ゲート取着部１４１と特別取着部１１０とが一体形成されている。すなわち、特別入賞装置４０と球通過ゲート４４とは、１つのユニットとして構成されており、遊技盤２０に対する着脱など、一体的に取り扱い可能になっている。このように、ゲート取着部１４１が特別取着部１１０(特別入賞口４１)より幅狭に形成されているので、特別取着部１１０(特別入賞口４１)の上側でかつゲート取着部１４１の横側の領域に、遊技盤２０の盤面を露出させることができ、特別取着部１１０(特別入賞口４１)の上側でかつゲート取着部１４１の横側の領域に遊技釘２８を植設することが可能となる(図２(ｂ)参照)。そして、遊技盤２０には、特別取着部１１０の上側でかつゲート取着部１４１の横側の領域に、特別入賞口４１の上方でかつ球通過ゲート４４のゲート飾り部１４４からパチンコ球Ｐの通過を許容する間隔をあけて遊技釘２８(他の遊技釘２８と区別する場合は案内遊技釘２８Ａという)が植設されている。実施例では、特別入賞口４１の上方でかつゲート飾り部１４４の左横側に、案内遊技釘２８Ａが配置されている。また、実施例では、ゲート取着部１４１の左側縁が、上から下に向かうにつれて右側へ偏倚するように延在しており、ゲート取着部１４１の左側縁上端と特別取着部１１０の左側縁上端とを結んだ線で囲われる遊技領域２０ａの範囲内または当該範囲にかかるように前記案内遊技釘２８Ａが配置されている。
【００７８】
(ゲート飾り部)
図１８に示すように、前記ゲート飾り部１４４は、ゲート取着部１４１の前側に遊技領域２０ａに突出するように設けられ、センサ挿通口１４２の前側に配置されている。ゲート飾り部１４４は、センサ挿通口１４２を左右に挟んで離間配置され、ゲート取着部１４１の前面から前方に突出する一対の側部ガイド１４５,１４５と、両側部ガイド１４５,１４５の前端部間を繋ぐ前部飾り１４６とから、上下に開口するゲート通過口１４０を画成する略門型に形成されている(図２２および図２３参照)。ゲート飾り部１４４は、センサ挿通口１４２からゲート取着部１４１の前側に突出するゲートセンサＳＧの前部を左右の側部ガイド１４５,１４５および前部飾り１４６で位置決めし、ゲートセンサＳＧの検出開口ＳＧａをゲート通過口１４０に整合させた状態で保持するよう構成されている。側部ガイド１４５は、上方から下方へ向かうにつれて左右幅が広くなるように外側面が斜めに形成されている。ゲート飾り部１４４は、左右幅(一対の側部ガイド１４５,１４５の外側面間の寸法)が、特別入賞口４１の左右幅より狭く設定されると共に、その左右方向の位置が該特別入賞口４１の左右の開口範囲内になるように配置されている。ゲート飾り部１４４における左外側面下端から直下へ延ばした延長線と特別入賞口４１の開口左縁とは、パチンコ球１個以上離間するよう配置され、左側の側部ガイド１４５の外側面で案内したパチンコ球Ｐが特別入賞口４１に入賞可能に構成されている。同様に、ゲート飾り部１４４における右外側面下端から直下へ延ばした延長線と特別入賞口４１の開口右縁とは、パチンコ球１個以上離間するよう配置され、右側の側部ガイド１４５の外側面で案内したパチンコ球Ｐが特別入賞口４１に入賞可能に構成されている。ゲート飾り部１４４は、外側面を斜めにすることで上部と比べて幅広に形成された側部ガイド１４５の下部に、ゲート取着部１４１の後側からネジ止めすることで、ゲート取着部１４４に設置されている(図２３参照)。
【００７９】
(入賞球通路ユニット)
図８に示すように、前記入賞球通路ユニット５０は、第１始動入賞装置３６から排出されたパチンコ球Ｐが流下する第１始動入賞球通路４６と、第２始動入賞装置３８から排出されたパチンコ球Ｐが流下する第２始動入賞球通路４７と、特別入賞装置４０から排出されたパチンコ球Ｐが流下する特別入賞球通路４８と、特別入賞装置４０における特別取着部１１０に設けられた普通入賞口４３に入賞したパチンコ球Ｐが流下する普通入賞球通路４９とを備えている。ここで、普通入賞球通路４９は、特別入賞球通路４８の途中に合流するよう形成されている。入賞球通路ユニット５０は、設置部材３２における開口部の下側に配置して背面板３２ａの前面に取り付けられている。遊技盤２０と設置部材３２とを組み付け状態では、第１始動入賞装置３６の第１始動入賞口３７に第１始動入賞球通路４６の導入口４６ａが連通するようになっている。また、遊技盤２０と設置部材３２とを組み付けた状態では、第２始動入賞装置３８における遊技盤２０の後側に突出する始動装置本体７０に下方に開口するように設けられた球導出口７９に、第２始動入賞球通路４７の球導入口４７ａが連通するようになっている。更に、遊技盤２０と設置部材３２とを組み付けた際では、特別入賞装置４０における遊技盤２０の後側に突出する特別装置本体１１２に下方に開口するように設けられた球導出口１１３に、特別入賞球通路４８の球導入口４８ａが連通すると共に、特別取着部１１０に一体形成された普通入賞口４３に、普通入賞球通路４９の球導入口４９ａが連通するようになっている。
【００８０】
図９に示すように、前記第１始動入賞球通路４６は、遊技領域２０ａの左右方向中央部に開口する始動入賞口３７に対応して設置部材３２の左右方向中央部に配置され、前方に開口する球導入口４６ａから受け入れたパチンコ球Ｐを後方へ導いた後に下方へ直線的に流下するよう案内して、再び前方へ導いた後に下方へ排出するよう形成されている。なお、第１始動入賞球通路４６の途中には、第１始動入賞センサ(球検出手段)Ｓ１が設けられ、該第１始動入賞球通路４６を流下するパチンコ球Ｐが第１始動入賞センサＳ１で検出されるようになっている。第２始動入賞球通路４７は、第１始動入賞球通路４６の右側に配置され、上方に開口する球導入口４７ａから受け入れたパチンコ球Ｐを、略直線的に案内して下方に排出するように形成されている。また、第２始動入賞球通路４７の途中には、第２始動入賞センサ(球検出手段)Ｓ２が設けられ、該第２始動入賞球通路４７を流下するパチンコ球Ｐが第２始動入賞センサＳ２で検出されるようになっている。特別入賞球通路４８は、第２始動入賞球通路４７の右側に配置され、上方に開口する球導入口４８ａからパチンコ球Ｐを右側に案内した後に直線的に流下するように案内し、左側に案内した後に前記第２始動入賞球通路４７の排出部に隣接した位置から下方へパチンコ球Ｐを排出するように形成されている。普通通入賞球通路４９は、特別入賞球通路４８の右側に配置され、前方に開口する球導入口４９ａから受け入れたパチンコ球Ｐを直線的に流下するよう案内した後に、右方に延在して特別入賞球通路４８の直線部分に繋げるように形成されている。なお、普通入賞球通路４９の途中には、普通入賞センサ(球検出手段)ＳＦが設けられ、該普通入賞球通路４９を流下するパチンコ球Ｐが普通入賞センサＳＦで検出されるようになっている。
【００８１】
図２６および図２７に示すように、入賞球通路ユニット５０は、入賞球通路４６,４７,４８,４９の後面および左右の側面を規定する壁部が設けられたユニットベース１５０と、このユニットベース１５０の前側に取り付けられ、入賞球通路４６,４７,４８,４９の前面を規定する壁部となるユニットカバー１５１とから構成されている。なお、ユニットベース１５０およびユニットカバー１５１は、透明な樹脂成形品であり、入賞球通路ユニット５０の本体部分は光を透過可能に構成されている。ユニットベース１５０は、第２始動入賞球通路４６の上側に、後方へ凹む箱状に形成された収容凹部１５０ａを有し、遊技盤２０と設置部材３２とを組み付けた際に、遊技盤２０の後側に突出する第２始動入賞装置３８の始動装置本体７０が収容凹部１５０ａに収容される(図３および図４参照)。なお、入賞球通路ユニット５０(ユニットベース１５０)には、磁気センサ１４８や不正検出センサ１４９などの不正検出手段が配設されている。
【００８２】
図８に示すように、前記入賞球通路ユニット５０(ユニットカバー１５１)の前側には、第１始動入賞装置３６の後側に配置される第１ユニット発光手段１５６と、第２始動入賞装置３８および特別入賞装置４０の後側に配置される第２ユニット発光手段１５８とが取り付けられている。ユニット発光手段１５６,１５８は、発光体としてのＬＥＤ１５６ａ,１５８ａが前面に実装された基板１５６ｂ,１５８ｂからなり(図２７参照)、該基板１５６ｂ,１５８ｂの前側は、ユニットカバー１５１に取り付けられた発光手段カバー１５７,１５９により覆われている。第１ユニット発光手段１５６の基板１５６ｂは、ユニットカバー１５１の左部分に前側に突出するように形成された第１設置台部１５２に取り付けられ、第２ユニット発光手段１５８の基板１５８ｂは、ユニットカバー１５１の右部分に前側に突出するように形成された第２設置台部１５３に取り付けられている。ユニットカバー１５１には、第１設置台部１５２と第２設置台部１５３との間に後方へ凹むと共に下方に開放した収容段部１５４が設けられている。収容段部１５４は、第２始動入賞球通路４７の右側に設けられ、遊技盤２０と設置部材３２とを組み付けた状態で、第２始動入賞装置３８において遊技盤２０の後側に突出する配線保持部５９が収容段部１５４に収容される。発光手段カバー１５７,１５９は、ＬＥＤ１５６ａ,１５８ａの前側に対応して発光開口１５７ａ,１５９ａが開設されている。なお、第１ユニット発光手段１５６の基板１５６ｂを覆う第１発光手段カバー１５７は、光を透過不能に構成されるのに対し、第２ユニット発光手段１５８の基板１５８ｂを覆う第２発光手段カバー１５９は、透明であって光を透過可能に構成されている。
【００８３】
前記第１ユニット発光手段１５６は、ＬＥＤ１５６ａから前方へ照射した光により、第１始動入賞装置３６において始動入賞口３７の下側に設けられた発光飾り部３６ａを照明し得るようになっている。図３および図４に示すように、第２ユニット発光手段１５８は、第２始動入賞装置３８の始動装置本体７０の下側に位置すると共に、第２始動入賞口３９の下側に設けられた発光飾り部５６の後側に位置し、ＬＥＤ１５８ａから前方へ照射した光により、発光飾り部５６および該発光飾り部５６の前側に重なる飾りカバー部６５を照明し得るようになっている。更に、図６に示すように、第２ユニット発光手段１５８は、特別入賞装置４０の特別装置本体１１２から右側にかけて位置すると共に、特別取着部１１０における特別入賞口４１の下側から右側にかけての領域の後側に位置し、ＬＥＤ１５８ａから前方へ照射した光により、特別取着部１１０の光透過部１１０ａを照明し得るようになっている。
【００８４】
(第２始動入賞球通路)
図３および図４に示すように、第２始動入賞球通路４７は、設置部材３２に設置される入賞球通路ユニット５０に上下方向に延在するように設けられ、遊技盤２０と設置部材３２とを組み付けた際に、第２始動入賞装置３８の始動装置本体７０の下方に開口する球導出口７９に、球導入口４７ａが連通するよう構成されている。第２始動入賞装置３８は、第２始動入賞口３９に入賞したパチンコ球Ｐを、始動装置本体７０の本体球通路７２で前から後側に案内して、本体球通路７２の後部で開口する球導出口７９から排出し、第２始動入賞球通路４７は、球導出口７９から流下するパチンコ球Ｐを球導入口４７ａから受け入れて、球導入口４７ａから下方に直線的に延びる流路を介して下方に開口する排出端から排出するようになっている。第２始動入賞球通路４７は、ユニットベース１５０の板面により該第２始動入賞球通路４７の後面をなす後通路壁部１６０が構成されると共に、ユニットベース１５０の板面から前方に延出する一対の横通路壁部１６１,１６１により左右の側面が構成されている(図２７参照)。ユニットベース１５０には、後通路壁部１６０および左右に対向配置された一対の横通路壁部１６１,１６１により前方および上下に開放する凹溝が画成されており、該凹溝の上方開口が収容凹部１５０ａの底面を切り欠いている。また、第２始動入賞球通路４７は、ユニットベース１５０の両横通路壁部１６１,１６１の前縁に当接するユニットカバー１５１の板面により該第２始動入賞球通路４７の前面をなす前通路壁部１６２が構成されている。
【００８５】
図３および図４に示すように、前記第２始動入賞球通路４７の途中には、第２始動入賞センサＳ２を着脱可能に保持し得る取付部１６３が設けられ、実施例では取付部１６３により該第２始動入賞球通路４７の上下方向略中央位置で第２始動入賞センサＳ２を保持するようになっている。取付部１６３は、後通路壁部１６０に開設された取付開口１６３ａと、左右の横通路壁部１６１,１６１の夫々に通路内側へ突出するように形成され、取付開口１６３ａの上下を挟んで前後に延在する一対の取付片１６３ｂ,１６３ｂとか構成されている。取付部１６３は、取付開口を介して後方から通路内側に挿入された第２始動入賞センサＳ２の前部を上下左右の取付片１６３ｂの間で挟持し、通過するパチンコ球Ｐを検出する検出開口Ｓ２ａを通路内側に整合させた状態で第２始動入賞センサＳ２を保持するようになっている。球導入口４７ａの前縁辺(一縁辺)を画成する前通路壁部１６２の上端部には、パチンコ球１個ずつの通過を許容する大きさで形成された球導出口７９を通過したパチンコ球Ｐが接触可能な位置に規制片１６４が形成されている。規制片１６４は、ユニットカバー１５１における前通路壁部１６２の上端部に、後方へ突出するように形成されて、その突出端部が球導出口７９の開口前縁より後方に位置している。すなわち、規制片１６４は、球導出口７９の開口面の下側に重なるように配置され、球導出口７９から流下するパチンコ球Ｐの軌跡によっては、パチンコ球Ｐが規制片１６４に接触するようになっている。なお、規制片１６４の突出端部には、前から後へ向かうにつれて下方傾斜するテーパ面が形成されている。
【００８６】
図３および４に示すように、前記球導入口４７ａは、規制片１６４と対向する後縁辺(対向縁辺)が球導出口７９より後側(外側)に位置して、該球導出口７９より大きくなるように形成されている。球導入口４７ａは、球導出口７９の左右幅と同じ(実施例)か、または僅かに大きくなるように形成されて、球導入口４７ａの左右方向の開口中心と球導出口７９の左右方向の開口中心とが上下に揃うようになっている。すなわち、球導入口４７ａは、球導出口７９に対して後方へずれて一部の領域が互いに上下に重なると共に、球導出口７９に対して左右方向の位置が整合するよう構成されている。第２始動入賞球通路４７は、球導入口４７ａにおける後縁辺に連なる後通路壁部(対向縁辺に連なる壁部)１６０が、下方へ向かうにつれて規制片１６４に連なる前通路壁部(壁部)１６１側へ傾斜するように形成されて、取付部１６３の上流側でパチンコ球１個ずつの流下を許容する通路幅となるよう構成されている。なお、後通路壁部１６０において、球導入口４７ａの開口後縁をなす上縁から下側に向かうにつれて前側へ傾く傾斜面を、傾斜誘導面１６０ａという。実施例では、球導出口７９の開口中心から、取付部１６３に保持された第２始動入賞センサＳ２における検出開口Ｓ２ａの開口中心に引いた仮想的な鉛直ライン上を通るように、第２始動入賞球通路４７が基本的に形成されている。そして、規制片１６４は、取付部１６３に保持された第２始動入賞センサＳ２における検出開口Ｓ２ａの開口前縁よりも後方へ突出しており、検出開口Ｓ２ａの上側に一部重なっている(図２６参照)。図２７に示すように、球導入口４７の開口後縁辺に連なる後通路壁部１６０の傾斜誘導面と横通路壁部１６１とがなす角隅部には、第２始動入賞球通路４７の通路内側へ突出する突条片１６５が、上下方向に離間して複数条(実施例では３条)形成されている。
【００８７】
(実施例の作用)
次に、実施例に係るパチンコ機１０の作用について説明する。第２始動入賞装置３８は、始動装置本体７０の上部に配設された始動発光手段６７から下方に照射する光により、始動装置本体７０の上面を構成する透明な上板を介して本体球通路７２を照明することができる。第２始動入賞装置３８は、第２始動入賞口３９の前側に飾りカバー部６５で覆われているが、前記始動発光手段６７により本体球通路７２に伴って明るくなる第２始動入賞口３９を、飾りカバー部６５と始動取着部５１との上側の隙間や該飾りカバー部６５の透明部分６５ｂを介して前側から視認することができる。そして、開閉部材８８が入賞許容位置に移動した状態では、始動発光手段６７によって照明された本体球通路７２の内側を視認可能となり、開放した第２始動入賞口３９や第２始動入賞口３９から入賞するパチンコ球Ｐの動きが判り易く、第２始動入賞装置３８に遊技者の注意を惹き付けることができる。また、第２始動入賞装置３８は、始動発光手段６７から照射した光が、開閉部材８８の球通過開口８８ａおよび始動装置本体７０の下面を構成する透明な下板を透過して、発光飾り部５６の後側に設けられた反射部８６により反射された光により第２始動入賞口３９の下方に設けられた発光飾り部５６を照明することができる。更に、発光飾り部５６が照明されることで、発光飾り部５６の前側を覆う飾りカバー部６５の光拡散部分６５ａが発光される。第２始動入賞装置３８は、始動発光手段６７の光照射方向前側にある始動装置本体７０が光を透過可能に構成されているから、始動装置本体７０の内側に設けられた本体球通路７２だけでなく、始動発光手段６７から照射した光によって第２始動入賞口３９の周辺部に配置された発光飾り部５６および飾りカバー部６５を発光させることができる。このように、第２始動入賞装置３８は、本体球通路７２、発光飾り部５６および飾りカバー部６５といった、異なる部分を発光させることができるから、発光による高い装飾性や演出効果を得られる。そして、第２始動入賞装置３８は、本体球通路７２の内側を照明する１つの始動発光手段６７によって、第２始動入賞口３９の周辺部の発光飾り部５６および飾りカバー部６５を照明可能な構成であるので、発光飾り部５６または飾りカバー部６５を照明するための別の発光手段を設置する必要はなく、当該別の発光手段を設置するために始動装置本体７０が大型化するような不具合を回避することができる。
【００８８】
実施例の第２始動入賞装置３８は、発光飾り部５６の後側に配置される第２ユニット発光手段１５８から前方へ照射した光によっても、発光飾り部５６および飾りカバー部６５を発光させることができる。ここで、始動発光手段６７から下方へ向けて照射された光が入射することで発光飾り部５６等が発光する態様と、第２ユニット発光手段１５８から直接的に照射された光により発光飾り部５６等が発光態様とを異ならせることができる。すなわち、始動発光手段６７と第２ユニット発光手段１５８との発光の組み合わせにより、発光飾り部５６および飾りカバー部６５を多彩な発光演出することがでできる。
【００８９】
前記第２始動入賞装置３８は、開閉部材８８が入賞規制位置にある状態では、光を透過しない球受部８９が始動発光手段６７の光照射方向前側に重なり、また球誘導片９０が第２始動入賞口３９の内側に位置している。すなわち、開閉部材８８が入賞規制位置にある状態において、始動発光手段６７から光を照射しても、球受部８９により始動装置本体７０の下側への光の透過が阻まれて、発光飾り部５６および飾りカバー部６５が発光せず、第２始動入賞口３９と球誘導片９０との隙間(第２始動入賞口３９の開口縁)から光が漏れるように見える。これに対して、開閉部材８８が入賞許容位置にある状態では、該開閉部材の上下に開口した球通過開口８８ａが始動発光手段６７の光照射方向前側に重なり、また球誘導片９０が第２始動入賞口３９から外れて該第２始動入賞口３９が開放されている。すなわち、開閉部材８８が入賞許容位置にある状態において、始動発光手段６７から光を照射すると、球通過開口８８ａを介して始動装置本体７０の下側への光の透過が阻まれて、発光飾り部５６および飾りカバー部６５が発光され、第２始動入賞口３９から照明された本体球通路７２が視認可能になる。このように、第２始動入賞装置３８は、開閉部材８８を開閉することによっても、発光する部分および発光態様を切り替えることができ、すなわち、始動発光手段６７の発光と開閉部材８８の開閉状態との組み合わせにより、多彩な発光演出をすることができる。
【００９０】
前記第２始動入賞装置３８は、開閉部材８８が入賞許容位置にある際に、飾りカバー部６５の誘導突起６６とこの誘導突起６６の下側に傾斜上端が位置する開閉部材８８の球誘導片９０により、遊技領域２０ａにおいて飾りカバー部６５と始動取着部５１との間に流下するパチンコ球Ｐを、第２始動入賞口３９に向けて誘導することができる。また、第２始動入賞装置３８は、第２始動入賞口３９を左右に挟んで設けられた一対のガイド部６１,６２のガイド面６４,６４によって、遊技領域２０ａを流下するパチンコ球Ｐを第２始動入賞口３９に向けて案内し得ると共に、左右のガイド面６４,６４で案内されたパチンコ球Ｐを入賞許容位置で両ガイド面６４,６４に位置する球誘導片９０によって、第２始動入賞口３９へ向けてより確実に誘導することができる。
【００９１】
前記第２始動入賞口３９から入賞したパチンコ球Ｐは、開閉部材８８の球通過開口８８ａを介して本体球通路７２の内底面７１ａに流下し、内底面７１ａに設けられた案内片７１ｂの傾斜に案内されて後方へ転動し、本体球通路７２の後部において下方に開口する球導出口７９から第２始動入賞球通路４７に流下する。ここで、開閉部材８８は、入賞規制位置および入賞許容位置の何れの状態にあっても、球通過開口８８ａが球導出口７９の上側に重なるように構成されているから、第２始動入賞口３９から本体球通路７２に入ったパチンコ球Ｐを、開閉部材８８の位置の如何にかかわらず球通過開口８８ａおよび球導出口７９を介して第２始動入賞球通路４７に流下させることができる。すなわち、本体球通過路７２でパチンコ球Ｐが滞ることを回避し得る。また、入賞許容位置にある開閉部材８８の球通過開口８８ａを介して本体球通路７２の内底面７１ａ(案内片７１ｂ)に落ち込んだパチンコ球Ｐは、入賞許容位置から入賞規制位置へ向けた開閉部材８８の移動経路に重なる領域に位置する。すなわち、入賞許容位置にある開閉部材８８が入賞規制位置に移動する際に、内底面７１ａ(案内片７１ｂ)にあるパチンコ球Ｐを開閉部材８８で球導出口７９に向けて押すことができ、これにより本体球通路７２でパチンコ球Ｐが滞ることを回避し得る。
【００９２】
前述したように、第２始動入賞装置３８の球導出口７９と第２始動入賞センサＳ２の検出開口Ｓ２ａとが上下の関係で配置されると共に、第２始動入賞球通路４７が上下に延在するように形成されているので、球導出口７９からパチンコ球Ｐが壁部等に接触することなく直線的に落下すると検出開口Ｓ２ａを通過するパチンコ球Ｐのスピードが早くなり過ぎ、第２始動入賞センサＳ２において連なって流下する複数のパチンコ球Ｐを１個として検出するような誤検出が生じるおそれがある。ここで、第２始動入賞口３９に入賞して本体球通路７２の球導出口７９から流下するパチンコ球Ｐを受け入れる球導入口４７ａには、球導出口７９の下側に重なるように規制片１６４が設けられているから、球導出口７９から第２始動入賞球通路４７に流下するパチンコ球Ｐが規制片１６４にぶつかることで、流下速度を落とすことができる。また、規制片１６４にぶつかることで、連なった状態で流下する複数のパチンコ球Ｐを互いに分離させることができる。しかも、第２始動入賞球通路４７における球導入口４７ａの近傍には、規制片１６４と反対側の壁部に、該球導入口４７ａの開口内側に突出する突条片１６５が設けられているので、第２始動入賞球通路４７を流下するパチンコ球Ｐに突条片１６５が干渉することで、パチンコ球Ｐの勢いを弱めることができる。従って、第２始動入賞センサＳ２において、第２始動入賞球通路４７を流下するパチンコ球Ｐの誤検出を防止し得る。
【００９３】
前記球導入口４７ａは、規制片１６４が設けられる前縁辺に対向する後縁辺を球導出口７９の後側に位置させて該球導出口７９より広く形成されているので、規制片１６４でパチンコ球Ｐが後方へ弾かれても球導入口４７ａでパチンコ球Ｐが滞ることを回避できる。しかも、遊技盤２０と設置部材３２とを組み付けることで、第２始動入賞装置３８の球導出口７９と第２始動入賞球通路４７の球導入口４７ａとが連通する構成であるが、球導入口４７ａが球導出口７９よりも大きいので球導出口７９と球導入口４７ａとの位置ズレを吸収し得る。第２始動入賞装置３８は、始動装置本体７０に配設された始動ソレノイド１０８および始動発光手段６７に繋がる配線Ｈを配線保持部５９で保持しているので、遊技盤２０と設置部材３２とを組み付ける際に、配線Ｈの噛み込みを防止し得る。
【００９４】
前記球通過ゲート４４は、特別入賞装置４０の特別入賞口４１の上側でかつ該特別入賞口４１における左右方向の開口範囲内に、ゲート通過口１４０が位置するように配置されている。特別入賞装置４０の開閉扉１１４が閉成状態にある場合には、球通過ゲート４４のゲート通過口１４０を通ったパチンコ球Ｐは、特別取着部１１０および開閉扉１１４の前面を通って  第２球流通経路２２を流下し、そのパチンコ球Ｐの検出により第２始動入賞装置３８の開閉部材８８の開放判定(始動口開放抽選)が行われる。特別入賞装置４０の開閉扉１１４が開放状態にある場合には、球通過ゲート４４のゲート通過口１４０を通過したパチンコ球Ｐは、遊技領域２０ａに延出する開閉扉１１４に受け止められて特別入賞口４１へ向けて案内され、該特別入賞口４１に入賞可能になっている。特別入賞装置４０の開閉扉１１４が閉成状態にある場合には、球通過ゲート４４のゲート飾り部１４４に当たったり、該ゲート飾り部１４４における側部ガイド１４５の外側面に案内されたパチンコ球Ｐについても、特別入賞口４１が左右幅広であるので、遊技領域２０ａに延出する開閉扉１１４に受け止められて特別入賞口４１へ向けて案内され、該特別入賞口４１に入賞可能になっている。すなわち、球通過ゲート４４を特別入賞口４１の上側に配設しても、球通過ゲート４４のゲート通過口１４０を通ったパチンコ球Ｐや球通過ゲート４４のゲート飾り部１４４に接触したパチンコ球Ｐが、開放状態にある特別入賞口４１から入賞可能に構成されているから、遊技者に不利益は生じない。このように、球通過ゲート４４は、該球通過ゲート４４のゲート通過口１４０を通過するパチンコ球Ｐの検出して第２始動入賞装置３８の開閉部材８８の開放判定の契機を得るという本来の機能と、特別入賞装置４０の特別入賞口４１の上側でパチンコ球Ｐを導くガイドとしての機能とを有している。これにより、遊技釘２８や風車等などの遊技領域２０ａでパチンコ球Ｐを案内する遊技部品に代えて、特別入賞装置４０の特別入賞口４１の上側に球通過ゲート４４を配設することが可能となり、特別入賞装置４０と球通過ゲート４４とを遊技領域２０ａにおける狭い範囲に配置することができる。
【００９５】
前記球通過ゲート４４は、遊技盤２０の前面を覆うように固定されるゲート取着部１４１を、特別入賞装置において遊技盤２０の前面を覆うように固定される特別取着部１１０よりも左右方向の幅が狭く形成している。すなわち、特別取着部１１０の上側でゲート取着部１４１の横側の領域には、遊技盤２０の前面が露出することになり、当該領域に案内遊技釘２８Ａを植設することが可能となる。そして、特別取着部１１０の上側でゲート取着部１４１の横側の領域に、特別入賞口４１の上方でかつ球通過ゲート４４のゲート飾り部１４４からパチンコ球Ｐの通過を許容する間隔をあけて案内遊技釘２８Ａを植設してあるので、ゲート飾り部１４４の横側を流下するパチンコ球Ｐやゲート飾り部１４４における側部ガイド１４５の外側面に案内されるパチンコ球Ｐを、案内遊技釘２８Ａとの接触により特別入賞口４１に向けて案内することができる。ここで、球通過ゲート４４のゲート飾り部１４４は、側部ゲート１４５の幅広な部分でゲート取着部１４１にネジ止めしているから、ゲート取着部１４１とゲート飾り部１４４とをしっかりと固定することができる。従って、特別入賞口４１の上側にゲート飾り部１４４を配置することで、特別入賞口４１を狙ったパチンコ球Ｐがゲート飾り部１４４に接触する頻度が高くなっても不具合が生じ難い。
【００９６】
前記特別入賞装置４０は、特別入賞本体１１２において入賞空間１２４の周面を画成する縦壁１２９の一部が、特別入賞口４１の左側縁から開口内側(右側)に向かうにつれて後側に傾斜するように延在する傾斜縦壁部１２９ａで構成されている。傾斜縦壁部１２９ａは、特別入賞口４１から入賞したパチンコ球Ｐを左側から開口内側へ向けて案内し、入賞空間１２４の奥側で特別入賞口４１に対して左右方向略中央部で開口する球通過口１３０に向けて傾斜縦壁部１２９ａによりパチンコ球Ｐを導くことができる。また、傾斜縦壁部１２９ａの後側には、該傾斜縦壁部１２９ａの傾斜前端と傾斜後端との前後差によって、球通過口１３０が開口する入賞空間１２４の奥側(後面縦壁部１２９ｂ)より前側で、特別装置本体１１２の左側の外横壁１１２ａとの間に左空間部１１２ｂが画成される。そして、特別入賞装置４０は、特別ソレノイド１０８の駆動を開閉扉１１４の開閉変位に変換する連繋部材１１８の前部が、左空間部１１２ｂに収容されているので、特別装置本体１１２において連繋部材１１８をより前側に配置することが可能となり、特別装置本体１１２の前後幅を小さく設定することができる。すなわち、特別入賞装置４０を前後にコンパクトにすることができる。
【００９７】
前記特別入賞装置４０は、 縦壁１２９における後面縦壁部１２９ｂに後傾するように開口した球通過口１３０の後側に、通過するパチンコ球を検出可能な検出開口ＳＴａを整合させて、特別入賞センサＳＴを配設しているので、特別入賞口４１から入賞したパチンコ球Ｐを、入賞空間１２４で滞留することを抑えて、特別入賞センサＳＴの検出開口ＳＴａにスムーズに通過させることができる。また、入賞空間１２４の底板１２５には、前側から球通過口１３０へ向けて下方傾斜するように形成された傾斜底面部１２５ａが設けられ、特別入賞センサＳＴは、検出開口ＳＴａの開口方向が傾斜底面部１２５ａの傾斜に沿った姿勢で配設されているから、特別入賞口４１から入賞したパチンコ球Ｐを、傾斜底面部１２５ａにより球通過口１３０に誘導することができると共に、傾斜底面部１２５ａで誘導されたパチンコ球Ｐを特別入賞センサＳＴの検出開口ＳＴａにスムーズに通過させることができる。これにより、特別入賞口４１から入賞したパチンコ球Ｐが入賞空間１２４で滞留することを抑えることができ、遊技の消化スピードを向上させることができる。
【００９８】
(変更例)
なお、本発明に係る遊技機の構成としては、前述した実施例に示したものに限らず、種々の変更が可能で、例えば以下のものを採用可能である。
(１)実施例の第２始動入賞装置は、閉成状態において開閉部材により第２始動入賞口への入賞が阻止される構成であるが、閉成状態において入賞口へパチンコ球が入賞することが可能であるが開放状態にあるときよりも入賞口へのパチンコ球の入賞が困難になる入賞装置であってもよい。
(２)閉成状態の開閉部材のみで入賞口への入賞を阻む構成に限定されず、開閉部材が閉成状態になることで、入賞口の周辺に配置された遊技釘などの遊技部品との位置関係で入賞口へのパチンコ球の入賞が阻止または困難になる構成であってもよい。
(３)入賞装置に配設される発光手段の光照射方向は、実施例の方向に限られず、例えば下から上であっても、横向きなどその他の方向であってもよい。また、始動発光手段の光照射方向前側に発光飾り部を配置し、始動発光手段から照射した光が、始動入賞本体を挟んで反対側に位置する発光飾り部に直接入射する構成であってもよい。
(４)実施例の開閉部材は、光を透過しないように構成したが、始動発光手段から照射した光を透過するように構成してもよい。この場合は、始動発光手段から照射した光が球通過開口を通過するときと比べて、開閉部材を透過することで、光を弱めたり、光を拡散したり、発光色を変えたりするなど、光の態様が変化する構成であればよい。
(５)実施例では、始動発光手段から照射した光を反射部により発光飾り部側に反射する構成を例示したが、発光飾り部から後方へ延出して始動発光手段の光照射方向前側に延在する周壁部を導光部として構成し、始動発光手段から照射した光が周壁部に入射した際に該周壁部を通して発光飾り部を発光させる構成であっても、その他の構成であってもよい。
(６)球通過ゲートは、一対の側部ガイドのうちの一方の側部ガイドの外側面だけを傾斜形状に形成する構成であってもよい。
(７)入賞装置から流下するパチンコ球を受け入れる球導入口に設けられる規制片は、該球導入口の開口前縁に設ける構成に限定されず、球導入口の開口後縁または開口側縁であってもよい。
(８)遊技盤は、ベニヤ板等の木製であっても、透明または不透明の合成樹脂製であってもよい。
(９)遊技機としては、パチンコ機に限られるものではなく、アレンジボール機やパチンコ球を用いたスロットマシン等、その他各種の遊技機であってもよい。
【符号の説明】
【００９９】
２０ 遊技盤
２０ａ 遊技領域
２７ｂ 第２装着口(装着口)
２８Ａ 案内遊技釘(遊技釘)
３８ 第２始動入賞装置(第１の入賞装置)
３９ 第２始動入賞口(第１の入賞口)
４０ 特別入賞装置(第２の入賞装置)
４１ 特別入賞口(第２の入賞口)
４４ 球通過ゲート
８８ 開閉部材(第１の開閉部材)
１１０ 特別取着部(入賞装置取着部)
１１４ 開閉扉(第２の開閉部材)
１４０ ゲート通過口(通過口)
１４５ 側部ガイド
１４１ ゲート取着部
Ｐ パチンコ球(遊技球)
ＳＧ ゲートセンサ(球検出手段)
ＳＧａ 検出開口
【図１】
2014236936.tif 000003
【図２】
2014236936.tif 000004
【図３】
2014236936.tif 000005
【図４】
2014236936.tif 000006
【図５】
2014236936.tif 000007
【図６】
2014236936.tif 000008
【図７】
2014236936.tif 000009
【図８】
2014236936.tif 000010
【図９】
2014236936.tif 000011
【図１０】
2014236936.tif 000012
【図１１】
2014236936.tif 000013
【図１２】
2014236936.tif 000014
【図１３】
2014236936.tif 000015
【図１４】
2014236936.tif 000016
【図１５】
2014236936.tif 000017
【図１６】
2014236936.tif 000018
【図１７】
2014236936.tif 000019
【図１８】
2014236936.tif 000020
【図１９】
2014236936.tif 000021
【図２０】
2014236936.tif 000022
【図２１】
2014236936.tif 000023
【図２２】
2014236936.tif 000024
【図２３】
2014236936.tif 000025
【図２４】
2014236936.tif 000026
【図２５】
2014236936.tif 000027
【図２６】
2014236936.tif 000028
【図２７】
2014236936.tif 000029